(57)【要約】磁気記録媒体と、磁気記録媒体を回転させるスピンドルモータと、情報の記録および再生の少なくともいずれかを行うヘッド部と、ヘッド部を支持するアクチュエータと、アクチュエータを回動させるボイスコイルと、ヘッド部およびボイスコイルと電気的に接続された中継配線体と、スピンドルモータと電気的に接続されたモータ用配線体とを備え、中継配線体とモータ用配線体とが筐体内部で電気的に接続されるとともに、中継配線体およびモータ用配線体と制御部との間で電気信号を授受するためのコネクタを筐体に備えた。【特許請求の範囲】
【請求項１】
筐体と、
前記筐体内部に、ディスク状の記録媒体と、前記記録媒体を回転させる回転部と、前記記録媒体に対して情報の記録および再生の少なくともいずれかを行うヘッド部と、前記ヘッド部を支持する前記記録媒体の半径方向に回動可能なアクチュエータ部と、前記ヘッド部を前記記録媒体上の所望の位置に配置させるように前記アクチュエータ部を回動させる回動部と、前記ヘッド部および前記回動部と電気的に接続された第１の配線体と、前記回転部と電気的に接続された第２の配線体とを備え、
前記筐体外部に、前記回転部、前記ヘッド部および前記回動部の制御を行う制御部を備えたディスク装置であって、
前記第１の配線体と前記第２の配線体とが前記筐体内部で電気的に接続されるとともに、前記第１の配線体および前記第２の配線体と前記制御部との間で電気信号を授受するための端子部を前記筐体に備えたことを特徴とするディスク装置。
【請求項２】
前記第１の配線体が、前記第２の配線体と電気的に接続するための接続部を有し、前記第２の配線体が、その端部に前記第１の配線体の前記接続部と電気的に接続するための導電部を有し、
前記第１の配線体の前記接続部を前記第２の配線体の前記導電部に接近させる方向に押圧する押圧部を備え、
前記押圧部の押圧によって前記第１の配線体の前記接続部と前記第２の配線体の前記導電部とが接触し、前記第１の配線体と前記第２の配線体とが電気的に接続されることを特徴とする請求項１に記載のディスク装置。
【請求項３】
前記第１の配線体は、前記ヘッド部から出力される信号の増幅回路を有することを特徴とする請求項１に記載のディスク装置。
【請求項４】
前記第１の配線体の前記接続部と前記第２の配線体の前記導電部とが当接する部分において、前記接続部の幅Ｗ１と前記導電部の幅Ｗ２とが異なることを特徴とする請求項２に記載のディスク装置。
【請求項５】
前記接続部の幅Ｗ１と前記導電部の幅Ｗ２とが、
Ｗ１＜Ｗ２
の関係を有することを特徴とする請求項４に記載のディスク装置。
【請求項６】
前記第１の配線体の前記接続部と前記第２の配線体の前記導電部とが当接する部分において、前記接続部および前記導電部の表面にそれぞれ金メッキが形成されていることを特徴とする請求項２に記載のディスク装置。
【請求項７】
前記押圧部は弾性材料で形成され、複数の分岐した先端部を有し、前記先端部が前記第１の配線体の前記接続部を押圧することを特徴とする請求項２に記載のディスク装置。
【請求項８】
前記押圧部の前記先端部は、根元の部分の断面積に対して先端の部分の断面積が小さくなるような形状であることを特徴とする請求項７に記載のディスク装置。
【請求項９】
前記押圧部は、平らな部材を用いた基材部と、前記基材部に設けられた複数の分岐部と、前記複数の分岐部それぞれの先端の部分に弾性部とを有することを特徴とする請求項２に記載のディスク装置。
【請求項１０】
前記押圧部の前記複数の分岐部それぞれは、根元の部分の断面積に対して先端の部分の断面積が小さくなるような形状であることを特徴とする請求項９に記載のディスク装置。
【請求項１１】
前記第１の配線体を折り曲げることによって、前記押圧部を挟持したことを特徴とする請求項２に記載のディスク装置。
【請求項１２】
前記端子部は、前記第１の配線体上に設けられ、
前記第２の配線体からの配線と、前記ヘッド部および前記回動部からの配線とが前記第１の配線体上に一体に形成されていることを特徴とする請求項１に記載のディスク装置。
【請求項１３】
前記第１の配線体上の、前記第２の配線体からの配線と、前記ヘッド部および前記回動部からの配線との間に、グラウンドライン部を備えたことを特徴とする請求項１２に記載のディスク装置。
【請求項１４】
前記筐体は、前記第１の配線体および前記押圧部が取り付けられた第１の筐体と、前記回転部および前記第２の配線体が取り付けられた第２の筐体とを備え、
前記第１の筐体と前記第２の筐体とを組み立てることによって、前記第１の配線体と前記第２の配線体とが当接し、前記押圧部の付勢力によって前記第１の配線体が前記第２の配線体に対して押圧されることによって、前記第１の配線体と前記第２の配線体とが電気的に接続されることを特徴とする請求項２に記載のディスク装置。
【請求項１５】
請求項１に記載のディスク装置を備えたことを特徴とする電子機器。
【請求項１６】
前記制御部が、電子機器側に設けられたことを特徴とする請求項１５に記載の電子機器。
【発明の詳細な説明】
【技術分野】
【０００１】  本発明は、浮上型の信号変換素子を備えたディスク装置に関し、特に、ディスク装置の筐体外部に設けられた制御部によって制御されるディスク装置、および、それを用いた電子機器に関する。
【背景技術】
【０００２】  ハードディスク装置等の磁気ディスク装置は、近年の急速な小型大容量化にともなって、携帯電話装置やポータブルオーディオプレーヤ装置等の、持ち運び可能な小型の電子機器にも搭載されるようになってきている。今後、さらなる小型化および低コスト化によって、これらの電子機器への応用が広がるものと期待されている。【０００３】  このような磁気ディスク装置において、さらなる小型化および低コスト化を実現するためのポイントとして、磁気ヘッド、スピンドルモータおよびアクチュエータと制御部との間で信号の授受を行うための配線構造がある。【０００４】  まず、従来のディスク装置における配線接続方法を説明する。ここでは、ディスク装置の一例として、ハードディスク装置等の磁気ディスク装置を用いて説明する。【０００５】  図１４は、従来の浮上型の信号変換素子（以下、単に磁気ヘッドと記す）を有する磁気ディスク装置１３０において上側シャーシを取り外した状態を示す平面図であり、図１５Ａは従来の磁気ディスク装置１３０の図１４におけるＰ−Ｐ線での断面を示した部分断面図であり、図１５Ｂは従来の磁気ディスク装置１３０の図１４におけるＱ−Ｑ線での断面を示した部分断面図である。【０００６】  図１４、図１５Ａおよび図１５Ｂにおいて、アクチュエータ１３１は、比較的剛性の低いサスペンション１３２、板ばね部１３３および比較的剛性の高い支持アーム１３４を有している。サスペンション１３２の一端側の下面には磁気ヘッド（図示せず）を搭載したヘッドスライダ１３５が設けられている。【０００７】  また、磁気記録媒体１３６はスピンドルモータ１３７によって回転し、磁気ディスク装置１３０の記録時および再生時には、磁気記録媒体１３６の回転に伴ってヘッドスライダ１３５と磁気記録媒体１３６との間に発生する空気流によってヘッドスライダ１３５が受ける浮揚力と、ヘッドスライダ１３５を磁気記録媒体１３６側へ付勢するアクチュエータ１３１の板ばね部１３３による付勢力（いわゆるロード荷重）とが釣り合って、ヘッドスライダ１３５は磁気記録媒体１３６から一定量浮上し、磁気ヘッドも磁気記録媒体１３６から一定量浮上するように構成されている。【０００８】  アクチュエータ１３１は、磁気ディスク装置１３０の記録時および再生時には、支持アーム１３４のヘッドスライダ１３５が設けられた側と反対側の端部に設けられたボイスコイル１３８の作用によって、回動軸１３９を中心として回動する。これにより、ヘッドスライダ１３５に搭載された磁気ヘッドが磁気記録媒体１３６における所望のトラックに対して位置決めされて、磁気ディスク装置１３０は記録および再生を行うことが可能である。【０００９】  そして、磁気ディスク装置１３０の停止時には、アクチュエータ１３１が回動軸１３９を中心にして回動して磁気記録媒体１３６の外側に向かって移動する。磁気記録媒体１３６の外側には、ヘッド保持部１４０が設けられており、サスペンション１３２の先端に形成されたガイド部１３２ａがヘッド保持部１４０に形成されたテーパ部１４０ａ上に乗り上げることにより、サスペンション１３２に支持されたヘッドスライダ１３５および磁気ヘッドと磁気記録媒体１３６との吸着を防ぐこ��ができる。【００１０】  また、従来の磁気ディスク装置１３０において、スピンドルモータ１３７、アクチュエータ１３１の回動軸１３９およびヘッド保持部１４０は、それぞれ下側シャーシ１４３に取り付けられている。【００１１】  さらに、従来の磁気ディスク装置１３０においては、後述する電気回路主基板１４６からのスピンドルモータ１３７の回転を制御する電気信号を供給するために、例えばフレキシブル配線基板（ＦＰＣ基板）を用いたモータ用配線体１４１がスピンドルモータ１３７に設けられている。また、電気回路主基板１４６とアクチュエータ１３１の磁気ヘッドとの記録信号または再生信号の授受、および、電気回路主基板１４６と磁気ヘッドを磁気記録媒体１３６上の所定の位置に位置決めするためのボイスコイル１３８との制御信号の授受のために、例えばＦＰＣ基板を用いたアクチュエータ用配線体１４２がアクチュエータ１３１に設けられている。【００１２】  さらに、防塵等のために、下側シャーシ１４３に、内部の各構成要素を覆って密閉するように上側シャーシ１４４が取り付けられる。【００１３】  また、従来の磁気ディスク装置１３０には、その下側シャーシ１４３の底面に、例えば図１５Ａまたは図１５Ｂに示したような、磁気ディスク装置１３０を制御するための電気回路部品１４５が搭載された電気回路主基板１４６が取り付けられている。【００１４】  電気回路主基板１４６にはモータ用コネクタ１４７とアクチュエータ用コネクタ１４８とが設けられ、モータ用コネクタ１４７にはモータ用配線体１４１のコネクタ１４１ａが接続され、アクチュエータ用コネクタ１４８にはアクチュエータ用配線体１４２のコネクタ１４２ａが接続されている。【００１５】  このように、従来の磁気ディスク装置１３０においては、電気回路主基板１４６からの制御信号がモータ用コネクタ１４７を通じてスピンドルモータ１３７に送られるとともに、アクチュエータ用コネクタ１４８を通じて磁気ヘッドまたはボイスコイル１３８へ送られる構成となっていた（例えば、特開平４−１８１５８７号公報または特開平７−１４３６２号公報を参照）。【００１６】  しかしながら、前述したような従来の磁気ディスク装置においては、スピンドルモータへの信号伝送のためのモータ用コネクタと、磁気ヘッドまたはボイスコイルへの信号伝送のためのアクチュエータ用コネクタという二つのコネクタが必要となり、その配設のためのスペースが大きくなってしまうため、装置全体の小型化が難しいという課題があった。【００１７】  さらに、磁気ディスク装置における内部の密閉性を確保するための封止手段がモータ用配線体およびアクチュエータ用配線体それぞれに対して必要となるので、コストが高くなってしまうという課題があった。
【発明の開示】
【００１８】  本発明のディスク装置は、筐体と、筐体内部に、ディスク状の記録媒体と、記録媒体を回転させる回転部と、記録媒体に対して情報の記録および再生の少なくともいずれかを行うヘッド部と、ヘッド部を支持する記録媒体の半径方向に回動可能なアクチュエータ部と、ヘッド部を記録媒体上の所望の位置に配置させるようにアクチュエータ部を回動させる回動部と、ヘッド部および回動部と電気的に接続された第１の配線体と、回転部と電気的に接続された第２の配線体とを備え、筐体外部に、回転部、ヘッド部および回動部の制御を行う制御部を備えたディスク装置であって、第１の配線体と第２の配線体とが筐体内部で電気的に接続されるとともに、第１の配線体および第２の配線体と制御部との間で電気信号を授受するための端子部を筐体に備えたことを特徴としている。
【００１９】  このような構成により、第１の配線体と第２の配線体とを電気的に接続して、一つの端子部によって外部との接続を行っているため、その配設スペースも小さくてよいので小型化に適し、さらに、内部の密閉性を確保するための封止手段も一箇所で実施すればよいので、コストの削減が可能となり、低コストのディスク装置を実現することができる。
【００２０】  また、第１の配線体が、第２の配線体と電気的に接続するための接続部を有し、第２の配線体が、その端部に第１の配線体の接続部と電気的に接続するための導電部を有し、第１の配線体の接続部を第２の配線体の導電部に接近させる方向に押圧する押圧部を備え、押圧部による押圧によって第１の配線体の接続部と第２の配線体の導電部とが接触し、第１の配線体と第２の配線体とが電気的に接続される構成であってもよい。
【００２１】  このような構成によれば、さらに、押圧部を用いて第１の配線体の接続部と第２の配線体の導電部とを接触させることにより第１の配線体と第２の配線体とを電気的に接続することができるので、故障等で一旦組み立てたディスク装置を分解するような場合にも、はんだ等で固着した場合と比較して、リワーク性に優れた構成を実現することができる。
【００２２】  また、第１の配線体は、ヘッド部から出力される信号の増幅回路を有する構成であってもよい。
【００２３】  このような構成によれば、さらに、ヘッド部の近くにおいて、微小な信号を処理することができるため、ノイズの発生を抑制でき、安定した信号の授受ができる、信頼性の高い構成を実現することができる。
【００２４】  また、第１の配線体の接続部と第２の配線体の導電部とが当接する部分において、接続部の幅Ｗ１と導電部の幅Ｗ２とが異なる構成であってもよい。
【００２５】  このような構成によれば、さらに、振動等によって第１の配線体の接続部と第２の配線体の導電部との位置がずれたような場合にも良好な導通を得ることができ、耐衝撃性に優れた構成を実現できる。
【００２６】  さらに、接続部の幅Ｗ１と導電部の幅Ｗ２とが、
Ｗ１＜Ｗ２
の関係を有する構成であってもよい。
【００２７】  このような構成によれば、さらに、第１の配線体の接続部の幅Ｗ１の中心と第２の配線体の導電部の幅Ｗ２の中心とがそれぞれ僅かにずれていたとしても、接触の確実性が向上し、取付けの際の位置ずれが、電気信号の授受に支障をもたらすようなことがなく、それらの間の接触状態を良好に保つことができる。
【００２８】  さらに、第１の配線体の接続部と第２の配線体の導電部とが当接する部分において、接続部および導電部の表面にそれぞれ金メッキが形成されている構成であってもよい。
【００２９】  このような構成によれば、さらに、第１の配線体の接続部と第２の配線体の導電部との当接部分における接触抵抗を略０Ωとすることができる。また、外部からの衝撃や振動等によって第１の配線体の接続部と第２の配線体の導電部との接触圧が変化したとしても、接触を維持する限り、その接触抵抗は大きく変化することなく、安定した信号の授受が可能となる。
【００３０】  また、押圧部は弾性材料で形成され、複数の分岐した先端部を有し、先端部が第１の配線体の接続部を押圧する構成であってもよい。
【００３１】  このような構成によれば、さらに、弾性材料で押圧部を形成するという簡易な方法によって、有効に第１の配線体の接続部を押圧することの可能な構成を実現することができる。
【００３２】  また、押圧部の先端部は、根元の部分の断面積に対して先端の部分の断面積が小さくなるような形状である構成であってもよい。
【００３３】  このような構成によれば、さらに、衝撃、特に回転衝撃等の外部からの力に対して、第１の配線体の接続部を押圧する押圧力が弱まることを抑制することができるため、回転衝撃等を受けても、第１の配線体の接続部と第２の配線体の導電部との間において安定した接触状態を維持することができ、安定した信号の授受ができるので、高い耐衝撃性を有するディスク装置を実現することができる。
【００３４】  さらに、押圧部は、平らな部材を用いた基材部と、基材部に設けられた複数の分岐部と、複数の分岐部それぞれの先端の部分に弾性部とを有する構成であってもよい。
【００３５】  このような構成によれば、さらに、平板の先端に弾性部を形成するという簡易な方法によって、有効に第１の配線体の接続部を押圧することの可能な構成を実現することができる。
【００３６】  また、押圧部の複数の分岐部それぞれは、根元の部分の断面積に対して先端の部分の断面積が小さくなるような形状である構成であってもよい。
【００３７】  このような構成によれば、さらに、衝撃、特に回転衝撃等の外部からの力に対して、第１の配線体の接続部を押圧する押圧力が弱まることを抑制することができるため、回転衝撃等を受けても、第１の配線体の接続部と第２の配線体の導電部との間において安定した接触状態を維持することができ、安定した信号の授受ができるので、高い耐衝撃性を有するディスク装置を実現することができる。
【００３８】  また、第１の配線体を折り曲げることによって、押圧部を挟持した構成であってもよい。このような構成によれば、限られたスペースの中でも第１の配線体を折りたたむことにより、より多くの部品を搭載することができるので、装置全体の小型化が可能である。
【００３９】  また、端子部は、第１の配線体上に設けられ、第２の配線体からの配線と、ヘッド部および回動部からの配線とが第１の配線体上に一体に形成されている構成であってもよい。
【００４０】  このような構成によれば、さらに、二つの配線と端子部とが第１の配線体上に設けられているので、取り扱いのしやすい、量産性に優れた構成を実現できる。
【００４１】  さらに、第１の配線体上の、第２の配線体からの配線と、ヘッド部および回動部からの配線との間に、グラウンドライン部を備えた構成であってもよい。
【００４２】  このような構成によれば、さらに、端子部に接続される二つの配線の間に発生する、クロストークを抑制することができる。
【００４３】  さらに、筐体は、第１の配線体および押圧部が取り付けられた第１の筐体と、回転部および第２の配線体が取り付けられた第２の筐体とを備え、第１の筐体と第２の筐体とを組み立てることによって、第１の配線体と第２の配線体とが当接し、押圧部の付勢力によって第１の配線体が第２の配線体に対して押圧されることによって、第１の配線体と第２の配線体とが電気的に接続される構成であってもよい。
【００４４】  このような構成によれば、さらに、第１の筐体と第２の筐体を組み立てることによって、押圧部によって押圧された第１の配線体の接続部が第２の配線体の導電部に当接することになり、第１の配線体と第２の配線体との間において電気的な接続を容易に形成することができ、非常に高い組み立て作業性を実現できる。さらに、故障等が起こった際に分解することが必要な場合においても、第１の筐体から第２の筐体を取り外せば、第１の配線体の接続部と第２の配線体の導電部との接触が外れるとともに、回転部と回動部とを容易に分離することができるので、分解作業のための作業時間が短縮でき、非常に高い分解作業性を実現することができる。
【００４５】  次に、本発明の電子機器は、本発明のディスク装置を備えたことを特徴としている。
【００４６】  このような構成によれば、ディスク装置が、第１の配線体と第２の配線体とを電気的に接続して、一つの端子部によって外部との接続を行っているため、その配設スペースも小さくてよいので小型化に適し、さらに、内部の密閉性を確保するための封止手段も一箇所で実施すればよいので、コストの削減が可能となり、低コストの電子機器を実現することができる。
【００４７】  また、制御部が、電子機器側に設けられた構成であってもよい。
【００４８】  このような構成によれば、さらに、電子機器側に設けられた制御部と、ディスク装置との接続を一つの端子部を介して行うことができるので、簡易に接続を行うことが可能となる。
【００４９】  以上述べたように、本発明のディスク装置およびそれを用いた電子機器によれば、一つのコネクタによって外部との接続を行うことができるため、装置全体の小型化および低コスト化を実現することができる。
【図面の簡単な説明】
【００５０】
【図１】図１は、本発明の実施の形態における磁気ディスク装置の主要な構成を示す平面図である。
【図２】図２は、本発明の実施の形態における磁気ディスク装置の中継配線体の構成を示す展開平面図である。
【図３Ａ】図３Ａは、本発明の実施の形態における磁気ディスク装置の中継配線体を組み立てた際の側面図である。
【図３Ｂ】図３Ｂは、本発明の実施の形態における磁気ディスク装置の図３ＡにおけるＲ部の部分を拡大した側面図である。
【図３Ｃ】図３Ｃは、は本発明の実施の形態における磁気ディスク装置のＦＰＣポストの断面図である。
【図４Ａ】図４Ａは、本発明の実施の形態における磁気ディスク装置の押圧弾性部材の構成を示す平面図である。
【図４Ｂ】図４Ｂは、本発明の実施の形態における磁気ディスク装置の押圧弾性部材の側面図である。
【図５Ａ】図５Ａは、本発明の実施の形態における磁気ディスク装置の図１におけるＡ−Ａ線での断面を示した部分断面図である。
【図５Ｂ】図５Ｂは、本発明の実施の形態における磁気ディスク装置の図１におけるＢ−Ｏ１−Ｏ２−Ｏ３−Ｂ線での断面を示した部分断面図である。
【図６】図６は、本発明の実施の形態における磁気ディスク装置の図１におけるＣ−Ｏ４−Ｃ線での断面を示した部分断面図である。
【図７】図７は、本発明の実施の形態における磁気ディスク装置の中継配線体とモータ用配線体との接触部分近傍の部分平面図である。
【図８】図８は、本発明の実施の形態における磁気ディスク装置を組み立てる際の組み立て治具の構成を示す斜視図である。
【図９Ａ】図９Ａは、本発明の実施の形態における磁気ディスク装置を組み立てる工程を説明するための平面図である。
【図９Ｂ】図９Ｂは、本発明の実施の形態における磁気ディスク装置を組み立てる工程を説明するための平面図である。
【図１０Ａ】図１０Ａは、本発明の実施の形態における磁気ディスク装置を組み立てる工程を説明するための平面図である。
【図１０Ｂ】図１０Ｂは、本発明の実施の形態における磁気ディスク装置を組み立てる工程を説明するための平面図である。
【図１１Ａ】図１１Ａは、本発明の実施の形態における磁気ディスク装置を組み立てる工程を説明するための平面図である。
【図１１Ｂ】図１１Ｂは、本発明の実施の形態における磁気ディスク装置を組み立てる工程を説明するための平面図である。
【図１２】図１２は、本発明の実施の形態における磁気ディスク装置の押圧弾性部材の他の例を示す部分斜視図である。
【図１３】図１３は、本発明の実施の形態における磁気ディスク装置を搭載した電子機器の構成を示すブロック図である。
【図１４】図１４は、従来の浮上型の信号変換素子を有する磁気ディスク装置において上側シャーシを取り外した状態を示す平面図である。
【図１５Ａ】図１５Ａは、従来の磁気ディスク装置の図１４におけるＰ−Ｐ線での断面を示した部分断面図である。
【図１５Ｂ】図１５Ｂは、従来の磁気ディスク装置の図１４におけるＱ−Ｑ線での断面を示した部分断面図である。
【符号の説明】
【００５１】  １  スピンドルモータ
１ａ  モータ用配線体（第２の配線体）
１ｂ，２１ｂ  導電部
２  回転中心軸
３  磁気記録媒体
４  回動軸
５  アクチュエータ（ヘッド支持装置）
５ａ  アクチュエータ用配線体
５ｂ  タブ部
５ｃ  信号配線接続部
６  ランプブロック
６ａ，５１ａ，５１ｂ，５１ｃ  突出部
６ｂ，９ｅ，２１ｄ，２１ｅ  位置決め穴
７  中継配線体（第１の配線体）
７ａ  プリアンプ回路部
８  ボイスコイル
９，９３  押圧弾性部材
９ａ  平面部
９ｂ  先端部
９ｃ，９ｄ，９ｆ，９ｇ，１０ａ，２１ｃ，３１ａ，３１ｂ，５２ａ  貫通穴
１０  下側シャーシ
１１  磁気ディスク装置
２１  フレキシブル配線基板（ＦＰＣ基板）
２１ａ，９１  基材部
２２  電気回路部品
２３，５４  コネクタ
２４  ガスケット
２５  接続部
３１  補強板
３２  ＦＰＣポスト
３２ａ，６１ａ  ねじ部
３２ｂ，３２ｃ，６１ｂ，６１ｃ  円筒部
３２ｄ，６１ｅ  段差面
３２ｅ  角部
４１ａ，４１ｂ  幅
５１  スペーサ
５２  上側シャーシ
５３  電気回路主基板
５５  グラウンドライン部
５６，５７  配線
６１  ランプポスト
６１ｄ  フランジ部
６２，６３  ねじ
７１  ＨＤＡ部
７２，７６  ディスクユニット
７３  制御部
７４，７７  電子機器
７５  電子機器回路部
８１  組み立て治具
８２，８３，８４  位置決めポスト
８５  基板
９１ａ  分岐部
９２  弾性部
１０６  逃げ穴
【発明を実施するための最良の形態】
【００５２】  以下、本発明の実施の形態について図面を用いて詳細に説明する。【００５３】  （実施の形態）
図１から図１３までの図面を用いて、本発明の実施の形態における磁気ディスク装置について説明する。【００５４】  図１は本発明の実施の形態における磁気ディスク装置１１の主要な構成を示す平面図、図２はその中継配線体７の構成を示す展開平面図、図３Ａはその中継配線体７を組み立てた際の側面図、図３Ｂは本発明の実施の形態における磁気ディスク装置１１の図３ＡにおけるＲ部の部分を拡大した側面図、図３ＣはそのＦＰＣポスト３２の断面図、図４Ａはその押圧弾性部材９の構成を示す平面図、図４Ｂはその押圧弾性部材９の側面図、図５Ａは磁気ディスク装置１１の図１におけるＡ−Ａ線での断面を示した部分断面図、図５Ｂは図１におけるＢ−Ｏ１−Ｏ２−Ｏ３−Ｂ線での断面を示した部分断面図、図６は図１におけるＣ−Ｏ４−Ｃ線での断面を示した部分断面図、図７は本発明の実施の形態における磁気ディスク装置１１の中継配線体７とモータ用配線体１ａとの接触部分近傍の部分平面図、図８は本発明の実施の形態における磁気ディスク装置１１を組み立てる際の組み立て治具の構成を示す斜視図、図９Ａから図１１Ｂまでは本発明の実施の形態における磁気ディスク装置１１を組み立てる工程を説明するための平面図、図１２は本発明の実施の形態における磁気ディスク装置１１の押圧弾性部材９の他の例を示す部分斜視図である。【００５５】  なお、図１においては、磁気ディスク装置１１の上側シャーシ５２を取り外した状態を示しており、上側シャーシ５２および上側シャーシ５２に設けられた上側ヨークを省略した状態を図示している。磁気ディスク装置１１の筐体は、上側シャーシ５２（第１の筐体とも記す）および下側シャーシ１０（第２の筐体とも記す）を有する。【００５６】  まず、本発明の実施の形態における磁気ディスク装置１１は、図１に示したように、回転部であるスピンドルモータ１の回転中心軸２に回転自在に軸支された磁気記録媒体３、磁気記録媒体３に情報を記録する、または磁気記録媒体３に記録された情報を再生するための信号変換素子であり、ヘッド部である磁気ヘッド（図示せず）をその一端側に有し、回動軸４に回動可能に軸支され、その先端にタブ部５ｂを有するヘッド支持装置（アクチュエータまたはアクチュエータ部と記す）５、アクチュエータ５の待避位置に設けられ、複数の傾斜の斜面と複数の平面とを有するランプブロック６、磁気ヘッドからの再生信号を増幅して精度よく取り出すための増幅回路であるプリアンプ回路部７ａが設けられた中継配線体（第１の配線体）７、スピンドルモータ１に対して駆動電流を供給するモータ用配線体（第２の配線体）１ａ、アクチュエータ５の一端側に配設された磁気ヘッドとの信号の授受および他端側に配設された磁気ヘッドの位置決めのための回動部であるボイスコイル８との信号授受のための、中継配線体７に一体に形成されたアクチュエータ用配線体５ａ、ならびに、中継配線体７に狭持され、後述する方法で中継配線体７とモータ用配線体１ａとを電気的に接続させる押圧弾性部材９を備えている。【００５７】  また、本発明の実施の形態における磁気ディスク装置１１は、前述した各構成要素が下側シャーシ１０の内部に収納されており、その筐体の外側に別途設けられた電気回路主���板５３（図１には図示せず、図５Ｂ参照）に、各構成要素を制御する制御部が設けられている。なお、前述の例では、中継配線体７にプリアンプ回路部７ａが設けられている例を説明したが、プリアンプ回路部７ａを筐体の外側に別途設けられた電気回路主基板５３に搭載し、中継配線体７は電気信号を通すだけの配線部のみであってもよい。【００５８】  次に、図２を用いて本発明の実施の形態における磁気ディスク装置１１の中継配線体７について説明する。図２に示したように、本発明の実施の形態における中継配線体７は、例えばフレキシブル配線基板（以下、ＦＰＣ基板という）２１のような電気配線部材、そのＦＰＣ基板２１上に配設されたプリアンプ回路部７ａ等の電気回路を構成する電気回路部品２２、外部に配設された電気回路主基板５３（図２には図示せず）と接続するための電気信号伝達手段であり、端子部であるコネクタ２３、および、コネクタ２３の周辺部分を外気から封止するためのガスケット２４を備えている。【００５９】  また、本発明の実施の形態における磁気ディスク装置１１の中継配線体７のＦＰＣ基板２１は絶縁材料からなる基材部２１ａの上に所定のパターンで導電部２１ｂが形成された電気配線部材であり、そのＦＰＣ基板２１の図２における右側には複数に分岐された接続部２５が形成されている。ＦＰＣ基板２１の接続部２５の先端部分は導電性を有し、対応するモータ用配線体１ａの複数の導電部１ｂ（図７を参照）と接触して電気的に接続されるように構成されている。また、コネクタ２３には、接続部２５から延設された配線５７と、信号配線接続部５ｃから延設された配線５６とがそれぞれ接続されている。コネクタ２３の直下の部分における、配線５６と配線５７との間の領域には、ポリイミド層の間にグラウンドライン部５５が設けられ、配線５６と配線５７との間のクロストークの発生を防止することができる。【００６０】  なお、ＦＰＣ基板２１の接続部２５の先端部分は、必ずしも複数に分岐した形状である必要はなく、一体形状に形成され、その先端部分にモータ用配線体１ａの導電部１ｂのそれぞれに対応するように複数の導電部２１ｂを設けた構成であってもよい。【００６１】  さらに、本発明の実施の形態の磁気ディスク装置１１においては、中継配線体７のＦＰＣ基板２１の基材部２１ａ上にアクチュエータ用配線体５ａが形成されている。また、ＦＰＣ基板２１には折りたたんで後述する状態でＦＰＣポスト３２（図３Ａ参照）を貫通させるための貫通穴２１ｃが設けられている。【００６２】  また、本発明の実施の形態の磁気ディスク装置１１における中継配線体７は、図３Ａおよび図３Ｂに示すように、中継配線体７を図２における破線Ｘ−Ｘ線にて、ＦＰＣ基板２１の基材部２１ａが対向するように略１８０°折り曲げ（山折り）した状態で使用される。また、ＦＰＣ基板２１の補強のためにＦＰＣ基板２１に固着された、例えばＳＵＳ板材等を用いた二枚の補強板３１を介して、図４Ａに示した押圧弾性部材９の平面部９ａをＦＰＣ基板２１にて狭持し、ＦＰＣ基板２１が二重になった状態で使用される。【００６３】  図３Ａおよび図３Ｂに示したように、本発明の実施の形態の磁気ディスク装置１１においては、押圧弾性部材��の平面部９ａの表裏両面に両面接着テープ等を貼付して、ＦＰＣ基板２１に固着された二枚の補強板３１によって押圧弾性部材９を狭持した時に、押圧弾性部材９と二枚の補強板３１とが接着された状態となる。【００６４】  次に、本発明の実施の形態における磁気ディスク装置１１の押圧部である押圧弾性部材９について説明する。本発明の実施の形態における磁気ディスク装置１１における押圧弾性部材９は、図４Ａおよび図４Ｂに示されるような形状を有し、リン青銅等のばね性を有する弾性材料を用いて作成することができる。押圧弾性部材９の一方の端部には、ＦＰＣ基板２１の先端部に設けられた複数の接続部２５のそれぞれに対応するように、分岐された先端部９ｂが複数形成される。なお、図４Ｂは図４Ａの右方向からみた側面図であり、先端部９ｂは図４Ａにおいて紙面に向かう方向に折れ曲がっている。これにより、先端部９ｂは、ＦＰＣ基板２１の接続部２５に対して付勢力を付与することが可能となる。【００６５】  また、押圧弾性部材９には、後述するＦＰＣポスト３２が貫通する貫通穴９ｃおよびランプポスト６１が貫通するランプポスト用貫通穴９ｄ、ランプブロック６の位置決め穴９ｅ、後述するスペーサ５１の二つの位置決め突出部５１ｃが貫通する貫通穴９ｆおよび貫通穴９ｇが形成されている。【００６６】  本発明の実施の形態の磁気ディスク装置１１において、中継配線体７が押圧弾性部材９に対して所定の位置に配設された時、押圧弾性部材９の複数の先端部９ｂのそれぞれは、ＦＰＣ基板２１の複数の接続部２５のうち、対応する接続部２５を押して、モータ用配線体１ａの複数の導電部１ｂ（図７を参照）に接触させて、ＦＰＣ基板２１の接続部２５とモータ用配線体１ａの導電部１ｂとを電気的に接続させる。【００６７】  なお、衝撃、特に回転方向の衝撃等の外部からの力に対して押圧弾性部材９の先端部９ｂによる接続部２５への押圧力が弱まることを抑制するために、図４Ａに示したように、押圧弾性部材９の先端部９ｂを、先端部の幅４１ａよりも根元部分の幅４１ｂの方が大きくなるように形成することが望ましい。すなわち、
幅４１ａ＜幅４１ｂ
を満足するように形成することが望ましい。換言すると、本発明の実施の形態における磁気ディスク装置１１の押圧弾性部材９の先端部９ｂは、その断面積を根元の部分から先端の部分にかけて小さくするような形状に形成されている。【００６８】  ここで、本発明の実施の形態における磁気ディスク装置１１におけるＦＰＣ基板２１周辺の構成について説明する。本発明の実施の形態における磁気ディスク装置１１においては、押圧弾性部材９が中継配線体７によって狭持された状態で、図３Ｃに示すような中心部にねじ部３２ａが形成され、上部円筒部３２ｃと下部円筒部３２ｂとを有するＦＰＣポスト３２の下部円筒部３２ｂを、ＦＰＣ基板２１に設けられた貫通穴２１ｃおよび押圧弾性部材９の貫通穴９ｃに貫通させる。【００６９】  そして、ＦＰＣポスト３２の上部円筒部３２ｃと下部円筒部３２ｂとの段差面３２ｄをＦＰＣ基板２１に当接させて、上部円筒部３２ｃと段差面３２ｄとの境界、すなわち角部３２ｅの全周においてＦＰＣ基板２１とＦＰＣポスト３２をはんだ付け固着する。なお、はんだ付け部分におけるＦＰＣ基板２１にはＧＮＤになるような配線がなされており、磁気ディスク装置１１が組み立てられた時には、ＦＰＣポスト３２を通してＦＰＣ基板２１がグラウンドラインになるように構成されている。このグラウンドラインはグラウンドライン部５５と接続されている。【００７０】  さらに、本発明の実施の形態における磁気ディスク装置１１においては、中継配線体７に一体に形成されたアクチュエータ用配線体５ａの信号配線接続部５ｃを図２に示された破線Ｙ−Ｙ線にて紙面上方向（谷折り方向）に略９０°折り曲げるとともに、アクチュエータ用配線体５ａを図２における紙面上方向（谷折り方向）に破線Ｚ−Ｚ線にて略９０°折り曲げる。【００７１】  このようにして、図１に示すように下側シャーシ１０のアクチュエータ５の近傍にアクチュエータ用配線体５ａにおける信号配線接続部５ｃを取り付け、磁気ヘッドおよびボイスコイル８からの信号配線を接続することができる。【００７２】  次に、図５Ａに示すように、押圧弾性部材９を狭持して二重になったＦＰＣ基板２１を貫通するように設けられた四つの位置決め穴２１ｄおよび位置決め穴２１ｅ（図２参照）にスペーサ５１に設けられた二つの位置決め突出部５１ａおよび位置決め突出部５１ｂを嵌合させて位置決めしてスペーサ５１を載置し、ガスケット２４、押圧弾性部材９を狭持したＦＰＣ基板２１およびスペーサ５１を下側シャーシ１０と上側シャーシ５２によって挟み込むことにより位置が固定できる。なお、補強板３１にも、スペーサ５１に設けられた二つの位置決め突出部５１ａおよび位置決め突出部５１ｂに対応した位置にそれぞれ貫通穴３１ａおよび貫通穴３１ｂがそれぞれ設けられている。【００７３】  本発明の実施の形態における磁気ディスク装置１１において、中継配線体７のＦＰＣ基板２１に設けられたコネクタ２３の外側の周辺部には、外気を封止するためのガスケット２４が配設されている。ガスケット２４は気密性を保持するためにゴム材等の弾性部材、例えばシリコンゴム（硬度５５°）を用いることができる。【００７４】  また、図５Ｂに示すように、本発明の実施の形態にお���る磁気ディスク装置１１においては、ＦＰＣ基板２１に対してスペーサ５１の位置を位置決めすることによって、ＦＰＣ基板２１とガスケット２４とが当接する位置のＦＰＣ基板２１に対して反対側の対応する位置において、スペーサ５１の一方の端面に設けられた突出部５１ｃの当接面とＦＰＣ基板２１とが当接する。したがって、下側シャーシ１０と上側シャーシ５２によってスペーサ５１、ＦＰＣ基板２１およびコネクタ２３のガスケット２４を挟み込むことによって、ガスケット２４による気密性をより確実に保持することができる。【００７５】  そして、磁気ディスク装置１１の下側シャーシ１０の外側に設けられた電気回路主基板５３上のコネクタ５４をＦＰＣ基板２１に設けられたコネクタ２３に挿入することにより、中継配線体７と電気回路主基板５３とを接続することができる。【００７６】  なお、スペーサ５１とＦＰＣ基板２１との当接面は、ガスケット２４とＦＰＣ基板２１との当接面と略同じような中空矩形状であってもよいし、また、ガスケット２４とＦＰＣ基板２１との当接面のＦＰＣ基板２１に対して反対側の対応する位置に複数箇所において部分的に当接する面であってもよい。【００７７】  さらに、本発明の実施の形態の磁気ディスク装置１１において、ガスケット２４によりその気密性を保持するためには、コネクタ２３としてメス側コネクタを用いて、その外側にガスケット２４を嵌め込むようにすることが望ましい。【００７８】  さらに、本発明の実施の形態の磁気ディスク装置１１は、ＦＰＣ基板２１上に配設されたプリアンプ回路部７ａ等の回路を構成する電気回路部品２２とスペーサ５１との当接を避けるために、ＦＰＣ基板２１上の電気回路部品２２が配設される部分には空間を有するようにスペーサ５１が形成されている。【００７９】  ここで、本発明の実施の形態における磁気ディスク装置１１のランプブロック６周辺の構成について説明する。本発明の実施の形態の磁気ディスク装置１１の押圧弾性部材９には、図６に示すように、中心部にねじ部６１ａが形成されたランプポスト６１の下部円筒部６１ｂを貫通させるランプポスト用貫通穴９ｄおよびランプブロック６の位置決めを行うための位置決め穴９ｅが設けられている（図４Ａを参照）。【００８０】  本発明の実施の形態における磁気ディスク装置１１のランプブロック６には押圧弾性部材９の位置決め穴９ｅに嵌合するような位置に位置決め突出部６ａが設けられ、ランプポスト６１の上部円筒部６１ｃに嵌合するような位置決め穴６ｂが設けられている。【００８１】  磁気ディスク装置１１の組み立て時には、ランプポスト６１の下部円筒部６１ｂを押圧弾性部材９のランプポスト用貫通穴９ｄに貫通させるようにしてランプポスト６１を押圧弾性部材９上に載置することができる。【００８２】  その後、ランプポスト６１の上部円筒部６１ｃにランプブロック６の位置決め穴６ｂを嵌合させ、ランプブロック６の位置決め突出部６ａを押圧弾性部材９の位置決め穴９ｅに嵌合させて、ランプポスト６１のフランジ部６１ｄの上部段差面６１ｅの上にランプブロック６を載置して、押圧弾性部材９に対するランプブロック６の位置を決めることができる。さらに、上側シャーシ５２の貫通穴５２ａを通して、ねじ６２によってランプポスト６１の中心部のねじ部６１ａに締め付ける。これにより、ランプブロック６は上側シャーシ５２と、ランプポスト６１のフランジ部６１ｄの上部段差面６１ｅとの間で狭持され、固定されることになる。【００８３】  さらに、ランプポスト６１の中心部のねじ部６１ａを貫通ねじ部として、下側シャーシ１０の貫通穴１０ａを介してねじ６３にて下側シャーシ１０とランプポスト６１とを締結する。図６に示したように、ランプポスト６１がその上下端においてそれぞれ上側シャーシ５２と下側シャーシ１０とに固定されることによって、ランプブロック６を所定の位置に位置決めすることができる。これにより、中継配線体７の位置も決まる。【００８４】  さらに、本発明の実施の形態における磁気ディスク装置１１においては、ここでは図示しないが、アクチュエータ５の回動軸４の中心部にもランプポスト６１のねじ部６１ａと同様の貫通ねじ部を設けて、上側シャーシ５２および下側シャーシ１０のそれぞれに設けられた貫通穴を通してそれぞれねじにより固定することによって、アクチュエータ５を所定の位置に位置決めすることができる。【００８５】  前述したように、本発明の実施の形態における磁気ディスク装置１１においては、ＦＰＣポスト３２およびランプポスト６１を上側シャーシ５２および下側シャーシ１０に固定することによって、図７に示すような、下側シャーシ１０に取り付けられたスピンドルモータ１に設けられたモータ用配線体１ａに対する中継配線体７のＦＰＣ基板２１の位置関係が決まり、押圧弾性部材９の紙面に向かう方向への付勢力によって中継配線体７の先端に設けられた複数の接続部２５が押圧されて、モータ用配線体１ａ上の複数の導電部１ｂそれぞれに対応して接触することになり、電気信号の授受を行うことができる。【００８６】  また、本発明の実施の形態における磁気ディスク装置１１は、図７に示したように、押圧弾性部材９によって押圧された中継配線体７を構成するＦＰＣ基板２１の複数の接続部２５それぞれとモータ用配線体１ａの複数の導電部１ｂそれぞれとが接触する部分の近傍において、モータ用配線体１ａの導電部１ｂに接触するＦＰＣ基板２１の接続部２５の幅Ｗ１は、モータ用配線体１ａの導電部１ｂの幅Ｗ２よりも小さい。さらに、接続部２５の幅Ｗ１は、ＦＰＣ基板２１の接続部２５を押圧する押圧弾性部材９の先端部９ｂの幅Ｗ３よりも少なくとも大きくなるように形成することが、耐衝撃性や安定性の観点より望ましい。すなわち、それぞれの幅Ｗ１、Ｗ２およびＷ３が
Ｗ２＞Ｗ１≧Ｗ３
となるように設定することによって、ＦＰＣ基板２１のそれぞれの接続部２５における導電部２１ｂの幅Ｗ１の中心とモータ用配線体１ａのそれぞれの導電部１ｂの幅Ｗ２の中心と押圧弾性部材９の先端部９ｂの幅Ｗ３の中心がそれぞれ僅かにずれていたとしても、モータ用配線体１ａのそれぞれの導電部１ｂとそれらに対応したＦＰＣ基板２１のそれぞれの接続部２５とのそれぞれの接触は確実なものとなり、モータ用配線体１ａに対するＦＰＣ基板２１および押圧弾性部材９のそれぞれの僅かな取付け位置ずれが、モータ用配線体１ａとＦＰＣ基板２１との接触における電気信号の授受に支障をもたらすようなことはない。【００８７】  また、本発明の実施の形態における磁気ディスク装置１１のモータ用配線体１ａの導電部１ｂとＦＰＣ基板２１の接続部２５とが当接する部分において、少なくとも導電部１ｂと接続部２５とが当接する部分近傍をそれぞれ金メッキすることによって、接触抵抗を略０Ωとすることができる。これにより、外部からの衝撃や振動等によって導電部１ｂと接続部２５との接触圧が変化したとしても、接触を維持する限りにおいて、その接触抵抗は変化することなく、略０Ωを維持することが可能である。【００８８】  以上述べたように、本発明の実施の形態における磁気ディスク装置１１によれば、モータ用配線体１ａの導電部１ｂとＦＰＣ基板２１の接続部２５とを、押圧弾性部材９の先端部９ｂによる押圧によって接触させて電気的に接続させているため、例えば、故障によってスピンドルモータ１を交換するような際にも、はんだ付け等による固着を取り外すような手間のかかる作業が不要になり、リワーク性の向上を図ることが可能となる。【００８９】  なお、本発明の実施の形態においては、磁気ディスク装置１１の中継配線体７に、モータ用配線体１ａからの配線５７、信号配線接続部５ｃからの配線５６およびコネクタ２３が一体に形成された例を示したが、本発明はこの構成に限定されるものではない。例えば、モータ用配線体１ａ、中継配線体７およびコネクタ２３がそれぞれ別々に構成されていてもよい。【００９０】  次に、前述したような本発明の実施の形態における磁気ディスク装置１１のディスクドライブ部（磁気ディスク装置１１の構成から電気回路主基板５３を除いた部分）の組み立て方法について説明する。【００９１】  まず、図８に示すような組み立て治具８１を準備する。組み立て治具８１には、アクチュエータ５の回動軸４の貫通ねじ部のねじ穴に嵌合してアクチュエータ５を位置決めするアクチュエータ用位置決めポスト８２、中継配線体７の一方の位置を決めるためにＦＰＣポスト３２のねじ部３２ａのねじ穴に嵌合するＦＰＣ用位置決めポスト８３、および、中継配線体７の他方の位置とランプブロック６の位置とを位置決めするためにランプポスト６１のねじ部６１ａのねじ穴に嵌合するランプ用位置決めポスト８４が基板８５上の所定の位置にそれぞれ設けられている。また、組み立て治具８１には、中継配線体７が載置された場合のコネクタ２３の逃げ穴１０６が設けられている。【００９２】  まず、第１の工程として、図９Ａに示したように、押圧弾性部材９を狭持した中継配線体７にはんだ付け固着されたＦＰＣポスト３２のね��部３２ａのねじ穴を組み立て治具８１に設けられたＦＰＣ用位置決めポスト８３に嵌合させて挿入し、ランプ用位置決めポスト８４に弾性押圧部材９のランプポスト用貫通穴９ｄを挿入する。【００９３】  次に、第２の工程として、図９Ｂに示したように、ＦＰＣポスト３２がはんだ付け固着された中継配線体７の上に、スペーサ５１を載置する。中継配線体７の二つの位置決め穴２１ｄおよび位置決め穴２１ｅにスペーサ５１に設けられた二箇所の位置決め突出部５１ａおよび位置決め突出部５１ｂを嵌合させて挿入することにより、中継配線体７の上にスペーサ５１が位置決めされて載置される。【００９４】  また、第３の工程として、図１０Ａに示したように、組み立て治具８１に載置された中継配線体７に狭持された押圧弾性部材９のランプポスト用貫通穴９ｄにランプポスト６１の下部円筒部６１ｂを貫通させ、そのランプポスト６１のねじ部６１ａのねじ穴を組み立て治具８１に設けられたランプ用位置決めポスト８４に嵌合させて挿入する。【００９５】  さらに、第４の工程として、図１０Ｂに示したように、組み立て治具８１上に組み立てられたランプポスト６１の上部円筒部６１ｃにランプブロック６の位置決め穴６ｂを嵌合させるとともに、ランププロック６の位置決め突出部６ａを押圧弾性部材９の位置決め穴９ｅに嵌合させることにより、ランプポスト６１のフランジ部６１ｄの上部段差面６１ｅの上にランプブロック６が位置決めされて載置される。【００９６】  次に、第５の工程として、図１１Ａに示したように、組み立て治具８１に設けられたアクチュエータ用位置決めポスト８２に、アクチュエータ５の回動軸４の貫通ねじ部を嵌合させて挿入するとともに、アクチュエータ５の先端に設けられたタブ部５ｂがランプブロック６の待避位置に位置するようにして、アクチュエータ５を位置決めして組み立て治具８１上に載置する。【００９７】  さらに、第６の工程として、図１１Ｂに示したように、中継配線体７に一体に形成され、図２に示したＹ−Ｙ線にて略９０°折り曲げられたアクチュエータ用配線体５ａの端部に設けられた信号配線接続部５ｃをアクチュエータ５の所定の位置に取り付け、アクチュエータ５に配設された磁気ヘッドおよびボイスコイル８からの信号配線をそれぞれ信号配線接続部５ｃに接続する。【００９８】  なお、第６の工程において、アクチュエータ用配線体５ａの端部に設けられた信号配線接続部５ｃをアクチュエータ５の所定の位置に配置し、アクチュエータ５に配設された磁気ヘッドおよびボイスコイル８からのそれぞれの信号配線を信号配線接続部５ｃに接続する方法を説明したが、まず始めに、アクチュエータ用配線体５ａの信号配線接続部５ｃにアクチュエータ５に配設された磁気ヘッドおよびボイスコイル８からのそれぞれの信号配線を接続し、それから信号配線接続部５ｃをアクチュエータ５に接続するようにしてもよい。このような方法においては、最初に信号配線接続部５ｃにそれぞれの信号配線を接続することによって、磁気ヘッドからヘッドアンプ間の配線が閉回路となるため、静電気等の影響で磁気ヘッドが破壊される等の不具合の発生を防止することができる。【００９９】  次に、第７の工程として、中継配線体７の上に載置���れたスペーサ５１、中継配線体７にはんだ付け固着されたＦＰＣポスト３２、ランプポスト６１の上部段差面６１ｅに載置されたランプブロック６および所定の位置に配置されたアクチュエータ５の回動軸４の上に、上側シャーシ５２を載せ、上側シャーシ５２に設けられたそれぞれの穴部を通して回動軸４、ランプポスト６１およびＦＰＣポスト３２のそれぞれのねじ部（６１ａ，３２ａ）にねじを挿入してねじ止めし、上側筐体（第１の筐体）を形成することができる。【０１００】  なお、実用的には、ＦＰＣポスト３２を固定する際に用いる上側シャーシ５２の穴部を長穴等のねじ外径に対して遊びを有する大きさの穴部とし、組み立て時には、まず回動軸４およびランプポスト６１を上側シャーシ５２に固着し、次いでＦＰＣポスト３２を上側シャーシ５２に固定することが望ましい。【０１０１】  次に、第８の工程として、下側シャーシ１０の所定の位置にスピンドルモータ１が取り付けられ、モータ用配線体１ａが所定の位置に位置するように組み立てられた下側筐体（第２の筐体）の上に、前述の第７の工程によって組み立てられた上側筐体を載置することにより、磁気ディスク装置１１のディスクドライブ部が完成する。【０１０２】  以上述べたように、本発明の実施の形態における磁気ディスク装置１１においては、このような組み立てを行うことによって、押圧弾性部材９の先端部９ｂによって押圧されたＦＰＣ基板２１の接続部２５が、下側シャーシ１０に配設されたモータ用配線体１ａにおける導電部１ｂに当接することになり、ＦＰＣ基板２１の接続部２５における導電部２１ｂとモータ用配線体１ａの導電部１ｂとの間において電気的接続が形成される。【０１０３】  なお、前述の磁気ディスク装置の組み立て方法の説明においては説明を省略したが、上側筐体および下側筐体には、ボイスコイルモータを構成するための上側ヨーク、下側ヨークおよび永久磁石等のディスクドライブ部に必要な構成部材が組み込まれている。【０１０４】  また、本発明の実施の形態における磁気ディスク装置１１においては、組み立てとは逆に、組み立てられたものを分解する時には、下側筐体を上側筐体から取り外すことにより、下側シャーシ１０に取り付けられたスピンドルモータ１のモータ用配線体１ａの導電部１ｂを、上側シャーシ５２に取り付けられた中継配線体７のＦＰＣ基板２１の接続部２５から容易に外すことが可能となり、スピンドルモータ１とアクチュエータ５とを容易に分離することができる。【０１０５】  なお、前述の説明においては、押圧弾性部材９を弾性材料によって形成し、ＦＰＣ基板２１の接続部２５を押圧する先端部９ｂが押圧弾性部材９と一体に形成されているように記述したが、本発明はこの構成に限定されるものではない。例えば、図１２に示すように、ＳＵＳ等の平板材を用いた基材部９１に設けられた複数の分岐部９１ａにゴム材またはクッション材等の弾力性を有する弾性部９２が設けられた押圧弾性部材９３を用いることができる。なお、押圧弾性部材９３のような構成とした時にも、それぞれの分岐部９１ａは上述の押圧弾性部材９における先端部９ｂと同様に根元部分の断面積より先端部分の断面積の方が小さくなるように形成することにより、耐衝���性や組み立ての際の位置ずれに対して安定性の高い構成を実現できる。また、分岐部９１ａとしては、ＳＵＳ等のいわゆる板ばね部材を用いることもできるし、ゴム等の弾性部材を用いることができる。【０１０６】  以上述べたように、本発明の実施の形態における磁気ディスク装置１１によれば、一つのコネクタ２３を介して電気回路主基板５３と磁気ディスク装置１１のディスクドライブ部との電気信号を授受するための電気配線を接続することができるので、低コストにディスク装置を実現することができる。また、本発明の実施の形態における磁気ディスク装置１１によれば、押圧弾性部材９の先端部９ｂによる押圧力によって、中継配線体７の接続部２５をスピンドルモータ１のモータ用配線体１ａの導電部１ｂに押圧接触させて、電気回路主基板５３からの電気信号を授受することができるため、ディスクドライブ部の構成部品に何らかの故障が発生した時、故障部品の交換時においても、容易に分解および組み立てができる。【０１０７】  なお、本発明の実施の形態の説明においては、ディスク装置の例として、磁気ディスク装置の構成を用いて説明したが、本発明のディスク装置は、何らこれに限定されるものではない。例えば、ＤＶＤ装置、光磁気ディスク装置や光ディスク装置等の非接触型のディスク装置にも適用可能である。【０１０８】  さらに、本発明のディスク装置を組み込んで、携帯電話装置、ポータブルオーディオプレーヤ装置、ディスク再生装置またはディスク記録装置等の電子機器を構成すれば、より接続し易い構成を実現することができる。図１３は、本発明の実施の形態におけるディスク装置を組み込んだ電子機器の構成を示すブロック図である。【０１０９】  図１３に示したように、本発明の実施の形態における電子機器７４は、前述した磁気ディスク装置１１の構成から制御部を除いたＨＤＡ（Ｈｅａｄ  Ｄｉｓｋ  ＡｓｓｅｍｂｌｙまたはＨａｒｄ  Ｄｉｓｋ  Ａｓｓｅｍｂｌｙ）部７１が、ディスクユニット７２を構成し、電子機器７４にＨＤＡ部７１を制御するための制御部７３および電子機器回路部７５が設けられる。ディスクユニット７２は電子機器７４に取り付けられる。このような構成においては、ディスクユニット７２のＨＤＡ部７１と電子機器７４の制御部７３とが一つの端子部によって接続されるので、接続を容易に行うことができる。さらに、本発明のディスク装置によれば、従来のディスク装置において複数のコネクタが設けられていた部分（例えば図１における磁気記録媒体３の下部両側の部分）に電子機器７４の制御部７３や電子機器回路部７５を配設することが可能であり、構成の小型化を実現することができる。【０１１０】  なお、図１３の破線で示したように、ディスクユニット７６がＨＤＡ部７１と制御部７３とを有し、電子機器７７が電子機器回路部７５を有する構成とすることも可能である。
【産業上の利用可能性】
【０１１１】  本発明によれば、一つのコネクタによって外部との接続を行うことができるため、装置全体の小型化が可能であるとともに、低コストのディスク装置を実現することができるという格別の効果を奏することができるので、浮上型の信号変換素子を備えたディスク装置、特に、ディスク装置の筐体外部に設けられた制御部によって制御されるディスク装置およびそれを用いた電子機器等として有用である。
【図１】
2006043587.tif 000002
【図２】
2006043587.tif 000003
【図３Ａ】
2006043587.tif 000004
【図３Ｂ】
2006043587.tif 000005
【図３Ｃ】
2006043587.tif 000006
【図４Ａ】
2006043587.tif 000007
【図４Ｂ】
2006043587.tif 000008
【図５Ａ】
2006043587.tif 000009
【図５Ｂ】
2006043587.tif 000010
【図６】
2006043587.tif 000011
【図７】
2006043587.tif 000012
【図８】
2006043587.tif 000013
【図９Ａ】
2006043587.tif 000014
【図９Ｂ】
2006043587.tif 000015
【図１０Ａ】
2006043587.tif 000016
【図１０Ｂ】
2006043587.tif 000017
【図１１Ａ】
2006043587.tif 000018
【図１１Ｂ】
2006043587.tif 000019
【図１２】
2006043587.tif 000020
【図１３】
2006043587.tif 000021
【図１４】
2006043587.tif 000022
【図１５Ａ】
2006043587.tif 000023
【図１５Ｂ】
2006043587.tif 000024
【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
筐体と、
前記筐体内部に、ディスク状の記録媒体と、前記記録媒体を回転させる回転部と、前記記録媒体に対して情報の記録および再生の少なくともいずれかを行うヘッド部と、前記ヘッド部を支持する前記記録媒体の半径方向に回動可能なアクチュエータ部と、前記ヘッド部を前記記録媒体上の所望の位置に配置させるように前記アクチュエータ部を回動させる回動部と、前記ヘッド部および前記回動部と電気的に接続された第１の配線体と、前記回転部と電気的に接続された第２の配線体とを備え、
前記筐体外部に、前記回転部、前記ヘッド部および前記回動部の制御を行う制御部を備えたディスク装置であって、
前記第１の配線体と前記第２の配線体とが前記筐体内部で電気的に接続されるとともに、前記第１の配線体および前記第２の配線体と前記制御部との間で電気信号を授受するための端子部を前記筐体に備えたことを特徴とするディスク装置。
【請求項２】
前記第１の配線体が、前記第２の配線体と電気的に接続するための接続部を有し、
前記第２の配線体が、その端部に前記第１の配線体の前記接続部と電気的に接続するための導電部を有し、
前記第１の配線体の前記接続部を前記第２の配線体の前記導電部に接近させる方向に押圧する押圧部を備え、
前記押圧部の押圧によって前記第１の配線体の前記接続部と前記第２の配線体の前記導電部とが接触し、前記第１の配線体と前記第２の配線体とが電気的に接続されることを特徴とする請求項１に記載のディスク装置。
【請求項３】
前記第１の配線体は、前記ヘッド部から出力される信号の増幅回路を有することを特徴とする請求項１に記載のディスク装置。
【請求項４】
前記第１の配線体の前記接続部と前記第２の配線体の前記導電部とが当接する部分において、前記接続部の幅Ｗ１と前記導電部の幅Ｗ２とが異なることを特徴とする請求項２に記載のディスク装置。
【請求項５】
前記接続部の幅Ｗ１と前記導電部の幅Ｗ２とが、
Ｗ１＜Ｗ２
の関係を有することを特徴とする請求項４に記載のディスク装置。
【請求項６】
前記第１の配線体の前記接続部と前記第２の配線体の前記導電部とが当接する部分において、前記接続部および前記導電部の表面にそれぞれ金メッキが形成されていることを特徴とする請求項２に記載のディスク装置。
【請求項７】
前記押圧部は弾性材料で形成され、複数の分岐した先端部を有し、前記先端部が前記第１の配線体の前記接続部を押圧することを特徴とする請求項２に記載のディスク装置。
【請求項８】
前記押圧部の前記先端部は、根元の部分の断面積に対して先端の部分の断面積が小さくなるような形状であることを特徴とする請求項７に記載のディスク装置。
【請求項９】
前記押圧部は、平らな部材を用いた基材部と、前記基材部に設けられた複数の分岐部と、前記複数の分岐部それぞれの先端の部分に弾性部とを有することを特徴とする請求項２に記載のディスク装置。
【請求項１０】
前記押圧部の前記複数の分岐部それぞれは、根元の部分の断面積に対して先端の部分の断面積が小さくなるような形状であることを特徴とする請求項９に記載のディスク装置。
【請求項１１】
前記第１の配線体を折り曲げることによって、前記押圧部を挟持したことを特徴とする請求項２に記載のディスク装置。
【請求項１２】
前記端子部は、前記第１の配線体上に設けられ、
前記第２の配線体からの配線と、前記ヘッド部および前記回動部からの配線とが前記第１の配線体上に一体に形成されていることを特徴とする請求項１に記載のディスク装置。
【請求項１３】
前記第１の配線体上の、前記第２の配線体からの配線と、前記ヘッド部および前記回動部からの配線との間に、グラウンドライン部を備えたことを特徴とする請求項１２に記載のディスク装置。
【請求項１４】
前記筐体は、前記第１の配線体および前記押圧部が取り付けられた第１の筐体と、前記回転部および前記第２の配線体が取り付けられた第２の筐体とを備え、
前記第１の筐体と前記第２の筐体とを組み立てることによって、前記第１の配線体と前記第２の配線体とが当接し、前記押圧部の付勢力によって前記第１の配線体が前記第２の配線体に対して押圧されることによって、前記第１の配線体と前記第２の配線体とが電気的に接続されることを特徴とする請求項２に記載のディスク装置。
【請求項１５】
請求項１に記載のディスク装置を備えたことを特徴とする電子機器。
【請求項１６】
前記制御部が、電子機器側に設けられたことを特徴とする請求項１５に記載の電子機器。
【手続補正２】
【補正対象書類名】明細書
【補正対象項目名】全文
【補正方法】変更
【補正の内容】
【書類名】明細書
【発明の名称】ディスク装置およびそれを用いた電子機器
【技術分野】
【０００１】
本発明は、浮上型の信号変換素子を備えたディスク装置に関し、特に、ディスク装置の筐体外部に設けられた制御部によって制御されるディスク装置、および、それを用いた電子機器に関する。
【背景技術】
【０００２】
ハードディスク装置等の磁気ディスク装置は、近年の急速な小型大容量化にともなって、携帯電話装置やポータブルオーディオプレーヤ装置等の、持ち運び可能な小型の電子機器にも搭載されるようになってきている。今後、さらなる小型化および低コスト化によって、これらの電子機器への応用が広がるものと期待されている。
【０００３】
このような磁気ディスク装置において、さらなる小型化および低コスト化を実現するためのポイントとして、磁気ヘッド、スピンドルモータおよびアクチュエータと制御部との間で信号の授受を行うための配線構造がある。
【０００４】
まず、従来のディスク装置における配線接続方法を説明する。ここでは、ディスク装置の一例として、ハードディスク装置等の磁気ディスク装置を用いて説明する。
【０００５】
図１４は、従来の浮上型の信号変換素子（以下、単に磁気ヘッドと記す）を有する磁気ディスク装置１３０において上側シャーシを取り外した状態を示す平面図であり、図１５Ａは従来の磁気ディスク装置１３０の図１４におけるＰ−Ｐ線での断面を示した部分断面図であり、図１５Ｂは従来の磁気ディスク装置１３０の図１４におけるＱ−Ｑ線での断面を示した部分断面図である。
【０００６】
図１４、図１５Ａおよび図１５Ｂにおいて、アクチュエータ１３１は、比較的剛性の低いサスペンション１３２、板ばね部１３３および比較的剛性の高い支持アーム１３４を有している。サスペンション１３２の一端側の下面には磁気ヘッド（図示せず）を搭載したヘッドスライダ１３５が設けられている。
【０００７】
また、磁気記録媒体１３６はスピンドルモータ１３７によって回転し、磁気ディスク装置１３０の記録時および再生時には、磁気記録媒体１３６の回転に伴ってヘッドスライダ１３５と磁気記録媒体１３６との間に発生する空気流によってヘッドスライダ１３５が受ける浮揚力と、ヘッドスライダ１３５を磁気記録媒体１３６側へ付勢するアクチュエータ１３１の板ばね部１３３による付勢力（いわゆるロード荷重）とが釣り合って、ヘッドスライダ１３５は磁気記録媒体１３６から一定量浮上し、磁気ヘッドも磁気記録媒体１３６から一定量浮上するように構成されている。
【０００８】
アクチュエータ１３１は、磁気ディスク装置１３０の記録時および再生時には、支持アーム１３４のヘッドスライダ１３５が設けられた側と反対側の端部に設けられたボイスコイル１３８の作用によって、回動軸１３９を中心として回動する。これにより、ヘッドスライダ１３５に搭載された磁気ヘッドが磁気記録媒体１３６における所望のトラックに対して位置決めされて、磁気ディスク装置１３０は記録および再生を行うことが可能である。
【０００９】
そして、磁気ディスク装置１３０の停止時には、アクチュエータ１３１が回動軸１３９を中心にして回動して磁気記録媒体１３６の外側に向かって移動する。磁気記録媒体１３６の外側には、ヘッド保持部１４０が設けられており、サスペンション１３２の先端に形成されたガイド部１３２ａがヘッド保持部１４０に形成されたテーパ部１４０ａ上に乗り上げることにより、サスペンション１３２に支持されたヘッドスライダ１３５および磁気ヘッドと磁気記録媒体１３６との吸着を防ぐことができる。
【００１０】
また、従来の磁気ディスク装置１３０において、スピンドルモータ１３７、アクチュエータ１３１の回動軸１３９およびヘッド保持部１４０は、それぞれ下側シャーシ１４３に取り付けられている。
【００１１】
さらに、従来の磁気ディスク装置１３０においては、後述する電気回路主基板１４６からのスピンドルモータ１３７の回転を制御する電気信号を供給するために、例えばフレキシブル配線基板（ＦＰＣ基板）を用いたモータ用配線体１４１がスピンドルモータ１３７に設けられている。また、電気回路主基板１４６とアクチュエータ１３１の磁気ヘッドとの記録信号または再生信号の授受、および、電気回路主基板１４６と磁気ヘッドを磁気記録媒体１３６上の所定の位置に位置決めするためのボイスコイル１３８との制御信号の授受のために、例えばＦＰＣ基板を用いたアクチュエータ用配線体１４２がアクチュエータ１３１に設けられている。
【００１２】
さらに、防塵等のために、下側シャーシ１４３に、内部の各構成要素を覆って密閉するように上側シャーシ１４４が取り付けられる。
【００１３】
また、従来の磁気ディスク装置１３０には、その下側シャーシ１４３の底面に、例えば図１５Ａまたは図１５Ｂに示したような、磁気ディスク装置１３０を制御するための電気回路部品１４５が搭載された電気回路主基板１４６が取り付けられている。
【００１４】
電気回路主基板１４６にはモータ用コネクタ１４７とアクチュエータ用コネクタ１４８とが設けられ、モータ用コネクタ１４７にはモータ用配線体１４１のコネクタ１４１ａが接続され、アクチュエータ用コネクタ１４８にはアクチュエータ用配線体１４２のコネクタ１４２ａが接続されている。
【００１５】
このように、従来の磁気ディスク装置１３０においては、電気回路主基板１４６からの制御信号がモータ用コネクタ１４７を通じてスピンドルモータ１３７に送られるとともに、アクチュエータ用コネクタ１４８を通じて磁気ヘッドまたはボイスコイル１３８へ送られる構成となっていた（例えば、特開平４−１８１５８７号公報または特開平７−１４３６２号公報を参照）。
【００１６】
しかしながら、前述したような従来の磁気ディスク装置においては、スピンドルモータへの信号伝送のためのモータ用コネクタと、磁気ヘッドまたはボイスコイルへの信号伝送のためのアクチュエータ用コネクタという二つのコネクタが必要となり、その配設のためのスペースが大きくなってしまうため、装置全体の小型化が難しいという課題があった。
【００１７】
さらに、磁気ディスク装置における内部の密閉性を確保するための封止手段がモータ用配線体およびアクチュエータ用配線体それぞれに対して必要となるので、コストが高くなってしまうという課題があった。
【発明の開示】
【００１８】
本発明のディスク装置は、筐体と、筐体内部に、ディスク状の記録媒体と、記録媒体を回転させる回転部と、記録媒体に対して情報の記録および再生の少なくともいずれかを行うヘッド部と、ヘッド部を支持する記録媒体の半径方向に回動可能なアクチュエータ部と、ヘッド部を記録媒体上の所望の位置に配置させるようにアクチュエータ部を回動させる回動部と、ヘッド部および回動部と電気的に接続された第１の配線体と、回転部と電気的に接続された第２の配線体とを備え、筐体外部に、回転部、ヘッド部および回動部の制御を行う制御部を備えたディスク装置であって、第１の配線体と第２の配線体とが筐体内部で電気的に接続されるとともに、第１の配線体および第２の配線体と制御部との間で電気信号を授受するための端子部を筐体に備えたことを特徴としている。
【００１９】
このような構成により、第１の配線体と第２の配線体とを電気的に接続して、一つの端子部によって外部との接続を行っているため、その配設スペースも小さくてよいので小型化に適し、さらに、内部の密閉性を確保するための封止手段も一箇所で実施すればよいので、コストの削減が可能となり、低コストのディスク装置を実現することができる。
【００２０】
また、第１の配線体が、第２の配線体と電気的に接続するための接続部を有し、第２の配線体が、その端部に第１の配線体の接続部と電気的に接続するための導電部を有し、第１の配線体の接続部を第２の配線体の導電部に接近させる方向に押圧する押圧部を備え、押圧部による押圧によって第１の配線体の接続部と第２の配線体の導電部とが接触し、第１の配線体と第２の配線体とが電気的に接続される構成であってもよい。
【００２１】
このような構成によれば、さらに、押圧部を用いて第１の配線体の接続部と第２の配線体の導電部とを接触させることにより第１の配線体と第２の配線体とを電気的に接続することができるので、故障等で一旦組み立てたディスク装置を分解するような場合にも、はんだ等で固着した場合と比較して、リワーク性に優れた構成を実現することができる。
【００２２】
また、第１の配線体は、ヘッド部から出力される信号の増幅回路を有する構成であってもよい。
【００２３】
このような構成によれば、さらに、ヘッド部の近くにおいて、微小な信号を処理することができるため、ノイズの発生を抑制でき、安定した信号の授受ができる、信頼性の高い構成を実現することができる。
【００２４】
また、第１の配線体の接続部と第２の配線体の導電部とが当接する部分において、接続部の幅Ｗ１と導電部の幅Ｗ２とが異なる構成であってもよい。
【００２５】
このような構成によれば、さらに、振動等によって第１の配線体の接続部と第２の配線体の導電部との位置がずれたような場合にも良好な導通を得ることができ、耐衝撃性に優れた構成を実現できる。
【００２６】
さらに、接続部の幅Ｗ１と導電部の幅Ｗ２とが、
Ｗ１＜Ｗ２
の関係を有する構成であってもよい。
【００２７】
このような構成によれば、さらに、第１の配線体の接続部の幅Ｗ１の中心と第２の配線体の導電部の幅Ｗ２の中心とがそれぞれ僅かにずれていたとしても、接触の確実性が向上し、取付けの際の位置ずれが、電気信号の授受に支障をもたらすようなことがなく、それらの間の接触状態を良好に保つことができる。
【００２８】
さらに、第１の配線体の接続部と第２の配線体の導電部とが当接する部分において、接続部および導電部の表面にそれぞれ金メッキが形成されている構成であってもよい。
【００２９】
このような構成によれば、さらに、第１の配線体の接続部と第２の配線体の導電部との当接部分における接触抵抗を略０Ωとすることができる。また、外部からの衝撃や振動等によって第１の配線体の接続部と第２の配線体の導電部との接触圧が変化したとしても、接触を維持する限り、その接触抵抗は大きく変化することなく、安定した信号の授受が可能となる。
【００３０】
また、押圧部は弾性材料で形成され、複数の分岐した先端部を有し、先端部が第１の配線体の接続部を押圧する構成であってもよい。
【００３１】
このような構成によれば、さらに、弾性材料で押圧部を形成するという簡易な方法によって、有効に第１の配線体の接続部を押圧することの可能な構成を実現することができる。
【００３２】
また、押圧部の先端部は、根元の部分の断面積に対して先端の部分の断面積が小さくなるような形状である構成であってもよい。
【００３３】
このような構成によれば、さらに、衝撃、特に回転衝撃等の外部からの力に対して、第１の配線体の接続部を押圧する押圧力が弱まることを抑制することができるため、回転衝撃等を受けても、第１の配線体の接続部と第２の配線体の導電部との間において安定した接触状態を維持することができ、安定した信号の授受ができるので、高い耐衝撃性を有するディスク装置を実現することができる。
【００３４】
さらに、押圧部は、平らな部材を用いた基材部と、基材部に設けられた複数の分岐部と、複数の分岐部それぞれの先端の部分に弾性部とを有する構成であってもよい。
【００３５】
このような構成によれば、さらに、平板の先端に弾性部を形成するという簡易な方法によって、有効に第１の配線体の接続部を押圧することの可能な構成を実現することができる。
【００３６】
また、押圧部の複数の分岐部それぞれは、根元の部分の断面積に対して先端の部分の断面積が小さくなるような形状である構成であってもよい。
【００３７】
このような構成によれば、さらに、衝撃、特に回転衝撃等の外部からの力に対して、第１の配線体の接続部を押圧する押圧力が弱まることを抑制することができるため、回転衝撃等を受けても、第１の配線体の接続部と第２の配線体の導電部との間において安定した接触状態を維持することができ、安定した信号の授受ができるので、高い耐衝撃性を有するディスク装置を実現することができる。
【００３８】
また、第１の配線体を折り曲げることによって、押圧部を挟持した構成であってもよい。このような構成によれば、限られたスペースの中でも第１の配線体を折りたたむことにより、より多くの部品を搭載することができるので、装置全体の小型化が可能である。
【００３９】
また、端子部は、第１の配線体上に設けられ、第２の配線体からの配線と、ヘッド部および回動部からの配線とが第１の配線体上に一体に形成されている構成であってもよい。
【００４０】
このような構成によれば、さらに、二つの配線と端子部とが第１の配線体上に設けられているので、取り扱いのしやすい、量産性に優れた構成を実現できる。
【００４１】
さらに、第１の配線体上の、第２の配線体からの配線と、ヘッド部および回動部からの配線との間に、グラウンドライン部を備えた構成であってもよい。
【００４２】
このような構成によれば、さらに、端子部に接続される二つの配線の間に発生するクロストークを抑制することができる。
【００４３】
さらに、筐体は、第１の配線体および押圧部が取り付けられた第１の筐体と、回転部および第２の配線体が取り付けられた第２の筐体とを備え、第１の筐体と第２の筐体とを組み立てることによって、第１の配線体と第２の配線体とが当接し、押圧部の付勢力によって第１の配線体が第２の配線体に対して押圧されることによって、第１の配線体と第２の配線体とが電気的に接続される構成であってもよい。
【００４４】
このような構成によれば、さらに、第１の筐体と第２の筐体を組み立てることによって、押圧部によって押圧された第１の配線体の接続部が第２の配線体の導電部に当接することになり、第１の配線体と第２の配線体との間において電気的な接続を容易に形成することができ、非常に高い組み立て作業性を実現できる。さらに、故障等が起こった際に分解することが必要な場合においても、第１の筐体から第２の筐体を取り外せば、第１の配線体の接続部と第２の配線体の導電部との接触が外れるとともに、回転部と回動部とを容易に分離することができるので、分解作業のための作業時間が短縮でき、非常に高い分解作業性を実現することができる。
【００４５】
次に、本発明の電子機器は、本発明のディスク装置を備えたことを特徴としている。
【００４６】
このような構成によれば、ディスク装置が、第１の配線体と第２の配線体とを電気的に接続して、一つの端子部によって外部との接続を行っているため、その配設スペースも小さくてよいので小型化に適し、さらに、内部の密閉性を確保するための封止手段も一箇所で実施すればよいので、コストの削減が可能となり、低コストの電子機器を実現することができる。
【００４７】
また、制御部が、電子機器側に設けられた構成であってもよい。
【００４８】
このような構成によれば、さらに、電子機器側に設けられた制御部と、ディスク装置との接続を一つの端子部を介して行うことができるので、簡易に接続を行うことが可能となる。
【００４９】
以上述べたように、本発明のディスク装置およびそれを用いた電子機器によれば、一つのコネクタによって外部との接続を行うことができるため、装置全体の小型化および低コスト化を実現することができる。
【発明の効果】
【００５０】
本発明によれば、一つのコネクタによって外部との接続を行うことができるため、装置全体の小型化が可能であるとともに、低コストのディスク装置を実現することができるという格別の効果を奏することができるので、浮上型の信号変換素子を備えたディスク装置、特に、ディスク装置の筐体外部に設けられた制御部によって制御されるディスク装置およびそれを用いた電子機器等として有用である。
【発明を実施するための最良の形態】
【００５１】
以下、本発明の実施の形態について図面を用いて詳細に説明する。
【００５２】
（実施の形態）
図１から図１３までの図面を用いて、本発明の実施の形態における磁気ディスク装置について説明する。
【００５３】
図１は本発明の実施の形態における磁気ディスク装置１１の主要な構成を示す平面図、図２はその中継配線体７の構成を示す展開平面図、図３Ａはその中継配線体７を組み立てた際の側面図、図３Ｂは本発明の実施の形態における磁気ディスク装置１１の図３ＡにおけるＲ部の部分を拡大した側面図、図３ＣはそのＦＰＣポスト３２の断面図、図４Ａはその押圧弾性部材９の構成を示す平面図、図４Ｂはその押圧弾性部材９の側面図、図５Ａは磁気ディスク装置１１の図１におけるＡ−Ａ線での断面を示した部分断面図、図５Ｂは図１におけるＢ−Ｏ１−Ｏ２−Ｏ３−Ｂ線での断面を示した部分断面図、図６は図１におけるＣ−Ｏ４−Ｃ線での断面を示した部分断面図、図７は本発明の実施の形態における磁気ディスク装置１１の中継配線体７とモータ用配線体１ａとの接触部分近傍の部分平面図、図８は本発明の実施の形態における磁気ディスク装置１１を組み立てる際の組み立て治具の構成を示す斜視図、図９Ａから図１１Ｂまでは本発明の実施の形態における磁気ディスク装置１１を組み立てる工程を説明するための平面図、図１２は本発明の実施の形態における磁気ディスク装置１１の押圧弾性部材９の他の例を示す部分斜視図である。
【００５４】
なお、図１においては、磁気ディスク装置１１の上側シャーシ５２を取り外した状態を示しており、上側シャーシ５２および上側シャーシ５２に設けられた上側ヨークを省略した状態を図示している。磁気ディスク装置１１の筐体は、上側シャーシ５２（第１の筐体とも記す）および下側シャーシ１０（第２の筐体とも記す）を有する。
【００５５】
まず、本発明の実施の形態における磁気ディスク装置１１は、図１に示したように、回転部であるスピンドルモータ１の回転中心軸２に回転自在に軸支された磁気記録媒体３、磁気記録媒体３に情報を記録する、または磁気記録媒体３に記録された情報を再生するための信号変換素子であり、ヘッド部である磁気ヘッド（図示せず）をその一端側に有し、回動軸４に回動可能に軸支され、その先端にタブ部５ｂを有するヘッド支持装置（アクチュエータまたはアクチュエータ部と記す）５、アクチュエータ５の待避位置に設けられ、複数の傾斜の斜面と複数の平面とを有するランプブロック６、磁気ヘッドからの再生信号を増幅して精度よく取り出すための増幅回路であるプリアンプ回路部７ａが設けられた中継配線体（第１の配線体）７、スピンドルモータ１に対して駆動電流を供給するモータ用配線体（第２の配線体）１ａ、アクチュエータ５の一端側に配設された磁気ヘッドとの信号の授受および他端側に配設された磁気ヘッドの位置決めのための回動部であるボイスコイル８との信号授受のための、中継配線体７に一体に形成されたアクチュエータ用配線体５ａ、ならびに、中継配線体７に狭持され、後述する方法で中継配線体７とモータ用配線体１ａとを電気的に接続させる押圧弾性部材９を備えている。
【００５６】
また、本発明の実施の形態における磁気ディスク装置１１は、前述した各構成要素が下側シャーシ１０の内部に収納されており、その筐体の外側に別途設けられた電気回路主基板５３（図１には図示せず、図５Ｂ参照）に、各構成要素を制御する制御部が設けられている。なお、前述の例では、中継配線体７にプリアンプ回路部７ａが設けられている例を説明したが、プリアンプ回路部７ａを筐体の外側に別途設けられた電気回路主基板５３に搭載し、中継配線体７は電気信号を通すだけの配線部のみであってもよい。
【００５７】
次に、図２を用いて本発明の実施の形態における磁気ディスク装置１１の中継配線体７について説明する。図２に示したように、本発明の実施の形態における中継配線体７は、例えばフレキシブル配線基板（以下、ＦＰＣ基板という）２１のような電気配線部材、そのＦＰＣ基板２１上に配設されたプリアンプ回路部７ａ等の電気回路を構成する電気回路部品２２、外部に配設された電気回路主基板５３（図２には図示せず）と接続するための電気信号伝達手段であり、端子部であるコネクタ２３、および、コネクタ２３の周辺部分を外気から封止するためのガスケット２４を備えている。
【００５８】
また、本発明の実施の形態における磁気ディスク装置１１の中継配線体７のＦＰＣ基板２１は絶縁材料からなる基材部２１ａの上に所定のパターンで導電部２１ｂが形成された電気配線部材であり、そのＦＰＣ基板２１の図２における右側には複数に分岐された接続部２５が形成されている。ＦＰＣ基板２１の接続部２５の先端部分は導電性を有し、対応するモータ用配線体１ａの複数の導電部１ｂ（図７を参照）と接触して電気的に接続されるように構成されている。また、コネクタ２３には、接続部２５から延設された配線５７と、信号配線接続部５ｃから延設された配線５６とがそれぞれ接続されている。コネクタ２３の直下の部分における、配線５６と配線５７との間の領域には、ポリイミド層の間にグラウンドライン部５５が設けられ、配線５６と配線５７との間のクロストークの発生を防止することができる。
【００５９】
なお、ＦＰＣ基板２１の接続部２５の先端部分は、必ずしも複数に分岐した形状である必要はなく、一体形状に形成され、その先端部分にモータ用配線体１ａの導電部１ｂのそれぞれに対応するように複数の導電部２１ｂを設けた構成であってもよい。
【００６０】
さらに、本発明の実施の形態の磁気ディスク装置１１においては、中継配線体７のＦＰＣ基板２１の基材部２１ａ上にアクチュエータ用配線体５ａが形成されている。また、ＦＰＣ基板２１には折りたたんで後述する状態でＦＰＣポスト３２（図３Ａ参照）を貫通させるための貫通穴２１ｃが設けられている。
【００６１】
また、本発明の実施の形態の磁気ディスク装置１１における中継配線体７は、図３Ａおよび図３Ｂに示すように、中継配線体７を図２における破線Ｘ−Ｘ線にて、ＦＰＣ基板２１の基材部２１ａが対向するように略１８０°折り曲げ（山折り）した状態で使用される。また、ＦＰＣ基板２１の補強のためにＦＰＣ基板２１に固着された、例えばＳＵＳ板材等を用いた二枚の補強板３１を介して、図４Ａに示した押圧弾性部材９の平面部９ａをＦＰＣ基板２１にて狭持し、ＦＰＣ基板２１が二重になった状態で使用される。
【００６２】
図３Ａおよび図３Ｂに示したように、本発明の実施の形態の磁気ディスク装置１１においては、押圧弾性部材９の平面部９ａの表裏両面に両面接着テープ等を貼付して、ＦＰＣ基板２１に固着された二枚の補強板３１によって押圧弾性部材９を狭持した時に、押圧弾性部材９と二枚の補強板３１とが接着された状態となる。
【００６３】
次に、本発明の実施の形態における磁気ディスク装置１１の押圧部である押圧弾性部材９について説明する。本発明の実施の形態における磁気ディスク装置１１における押圧弾性部材９は、図４Ａおよび図４Ｂに示されるような形状を有し、リン青銅等のばね性を有する弾性材料を用いて作成することができる。押圧弾性部材９の一方の端部には、ＦＰＣ基板２１の先端部に設けられた複数の接続部２５のそれぞれに対応するように、分岐された先端部９ｂが複数形成される。なお、図４Ｂは図４Ａの右方向からみた側面図であり、先端部９ｂは図４Ａにおいて紙面に向かう方向に折れ曲がっている。これにより、先端部９ｂは、ＦＰＣ基板２１の接続部２５に対して付勢力を付与することが可能となる。
【００６４】
また、押圧弾性部材９には、後述するＦＰＣポスト３２が貫通する貫通穴９ｃおよびランプポスト６１が貫通するランプポスト用貫通穴９ｄ、ランプブロック６の位置決め穴９ｅ、後述するスペーサ５１の二つの位置決め突出部５１ｃが貫通する貫通穴９ｆおよび貫通穴９ｇが形成されている。
【００６５】
本発明の実施の形態の磁気ディスク装置１１において、中継配線体７が押圧弾性部材９に対して所定の位置に配設された時、押圧弾性部材９の複数の先端部９ｂのそれぞれは、ＦＰＣ基板２１の複数の接続部２５のうち、対応する接続部２５を押して、モータ用配線体１ａの複数の導電部１ｂ（図７を参照）に接触させて、ＦＰＣ基板２１の接続部２５とモータ用配線体１ａの導電部１ｂとを電気的に接続させる。
【００６６】
なお、衝撃、特に回転方向の衝撃等の外部からの力に対して押圧弾性部材９の先端部９ｂによる接続部２５への押圧力が弱まることを抑制するために、図４Ａに示したように、押圧弾性部材９の先端部９ｂを、先端部の幅４１ａよりも根元部分の幅４１ｂの方が大きくなるように形成することが望ましい。すなわち、
幅４１ａ＜幅４１ｂ
を満足するように形成することが望ましい。換言すると、本発明の実施の形態における磁気ディスク装置１１の押圧弾性部材９の先端部９ｂは、その断面積を根元の部分から先端の部分にかけて小さくするような形状に形成されている。
【００６７】
ここで、本発明の実施の形態における磁気ディスク装置１１におけるＦＰＣ基板２１周辺の構成について説明する。本発明の実施の形態における磁気ディスク装置１１においては、押圧弾性部材９が中継配線体７によって狭持された状態で、図３Ｃに示すような中心部にねじ部３２ａが形成され、上部円筒部３２ｃと下部円筒部３２ｂとを有するＦＰＣポスト３２の下部円筒部３２ｂを、ＦＰＣ基板２１に設けられた貫通穴２１ｃおよび押圧弾性部材９の貫通穴９ｃに貫通させる。
【００６８】
そして、ＦＰＣポスト３２の上部円筒部３２ｃと下部円筒部３２ｂとの段差面３２ｄをＦＰＣ基板２１に当接させて、上部円筒部３２ｃと段差面３２ｄとの境界、すなわち角部３２ｅの全周においてＦＰＣ基板２１とＦＰＣポスト３２をはんだ付け固着する。なお、はんだ付け部分におけるＦＰＣ基板２１にはＧＮＤになるような配線がなされており、磁気ディスク装置１１が組み立てられた時には、ＦＰＣポスト３２を通してＦＰＣ基板２１がグラウンドラインになるように構成されている。このグラウンドラインはグラウンドライン部５５と接続されている。
【００６９】
さらに、本発明の実施の形態における磁気ディスク装置１１においては、中継配線体７に一体に形成されたアクチュエータ用配線体５ａの信号配線接続部５ｃを図２に示された破線Ｙ−Ｙ線にて紙面上方向（谷折り方向）に略９０°折り曲げるとともに、アクチュエータ用配線体５ａを図２における紙面上方向（谷折り方向）に破線Ｚ−Ｚ線にて略９０°折り曲げる。
【００７０】
このようにして、図１に示すように下側シャーシ１０のアクチュエータ５の近傍にアクチュエータ用配線体５ａにおける信号配線接続部５ｃを取り付け、磁気ヘッドおよびボイスコイル８からの信号配線を接続することができる。
【００７１】
次に、図５Ａに示すように、押圧弾性部材９を狭持して二重になったＦＰＣ基板２１を貫通するように設けられた四つの位置決め穴２１ｄおよび位置決め穴２１ｅ（図２参照）にスペーサ５１に設けられた二つの位置決め突出部５１ａおよび位置決め突出部５１ｂを嵌合させて位置決めしてスペーサ５１を載置し、ガスケット２４、押圧弾性部材９を狭持したＦＰＣ基板２１およびスペーサ５１を下側シャーシ１０と上側シャーシ５２によって挟み込むことにより位置が固定できる。なお、補強板３１にも、スペーサ５１に設けられた二つの位置決め突出部５１ａおよび位置決め突出部５１ｂに対応した位置にそれぞれ貫通穴３１ａおよび貫通穴３１ｂがそれぞれ設けられている。
【００７２】
本発明の実施の形態における磁気ディスク装置１１において、中継配線体７のＦＰＣ基板２１に設けられたコネクタ２３の外側の周辺部には、外気を封止するためのガスケット２４が配設されている。ガスケット２４は気密性を保持するためにゴム材等の弾性部材、例えばシリコンゴム（硬度５５°）を用いることができる。
【００７３】
また、図５Ｂに示すように、本発明の実施の形態における磁気ディスク装置１１においては、ＦＰＣ基板２１に対してスペーサ５１の位置を位置決めすることによって、ＦＰＣ基板２１とガスケット２４とが当接する位置のＦＰＣ基板２１に対して反対側の対応する位置において、スペーサ５１の一方の端面に設けられた突出部５１ｃの当接面とＦＰＣ基板２１とが当接する。したがって、下側シャーシ１０と上側シャーシ５２によってスペーサ５１、ＦＰＣ基板２１およびコネクタ２３のガスケット２４を挟み込むことによって、ガスケット２４による気密性をより確実に保持することができる。
【００７４】
そして、磁気ディスク装置１１の下側シャーシ１０の外側に設けられた電気回路主基板５３上のコネクタ５４をＦＰＣ基板２１に設けられたコネクタ２３に挿入することにより、中継配線体７と電気回路主基板５３とを接続することができる。
【００７５】
なお、スペーサ５１とＦＰＣ基板２１との当接面は、ガスケット２４とＦＰＣ基板２１との当接面と略同じような中空矩形状であってもよいし、また、ガスケット２４とＦＰＣ基板２１との当接面のＦＰＣ基板２１に対して反対側の対応する位置に複数箇所において部分的に当接する面であってもよい。
【００７６】
さらに、本発明の実施の形態の磁気ディスク装置１１において、ガスケット２４によりその気密性を保持するためには、コネクタ２３としてメス側コネクタを用いて、その外側にガスケット２４を嵌め込むようにすることが望ましい。
【００７７】
さらに、本発明の実施の形態の磁気ディスク装置１１は、ＦＰＣ基板２１上に配設されたプリアンプ回路部７ａ等の回路を構成する電気回路部品２２とスペーサ５１との当接を避けるために、ＦＰＣ基板２１上の電気回路部品２２が配設される部分には空間を有するようにスペーサ５１が形成されている。
【００７８】
ここで、本発明の実施の形態における磁気ディスク装置１１のランプブロック６周辺の構成について説明する。本発明の実施の形態の磁気ディスク装置１１の押圧弾性部材９には、図６に示すように、中心部にねじ部６１ａが形成されたランプポスト６１の下部円筒部６１ｂを貫通させるランプポスト用貫通穴９ｄおよびランプブロック６の位置決めを行うための位置決め穴９ｅが設けられている（図４Ａを参照）。
【００７９】
本発明の実施の形態における磁気ディスク装置１１のランプブロック６には押圧弾性部材９の位置決め穴９ｅに嵌合するような位置に位置決め突出部６ａが設けられ、ランプポスト６１の上部円筒部６１ｃに嵌合するような位置決め穴６ｂが設けられている。
【００８０】
磁気ディスク装置１１の組み立て時には、ランプポスト６１の下部円筒部６１ｂを押圧弾性部材９のランプポスト用貫通穴９ｄに貫通させるようにしてランプポスト６１を押圧弾性部材９上に載置することができる。
【００８１】
その後、ランプポスト６１の上部円筒部６１ｃにランプブロック６の位置決め穴６ｂを嵌合させ、ランプブロック６の位置決め突出部６ａを押圧弾性部材９の位置決め穴９ｅに嵌合させて、ランプポスト６１のフランジ部６１ｄの上部段差面６１ｅの上にランプブロック６を載置して、押圧弾性部材９に対するランプブロック６の位置を決めることができる。さらに、上側シャーシ５２の貫通穴５２ａを通して、ねじ６２によってランプポスト６１の中心部のねじ部６１ａに締め付ける。これにより、ランプブロック６は上側シャーシ５２と、ランプポスト６１のフランジ部６１ｄの上部段差面６１ｅとの間で狭持され、固定されることになる。
【００８２】
さらに、ランプポスト６１の中心部のねじ部６１ａを貫通ねじ部として、下側シャーシ１０の貫通穴１０ａを介してねじ６３にて下側シャーシ１０とランプポスト６１とを締結する。図６に示したように、ランプポスト６１がその上下端においてそれぞれ上側シャーシ５２と下側シャーシ１０とに固定されることによって、ランプブロック６を所定の位置に位置決めすることができる。これにより、中継配線体７の位置も決まる。
【００８３】
さらに、本発明の実施の形態における磁気ディスク装置１１においては、ここでは図示しないが、アクチュエータ５の回動軸４の中心部にもランプポスト６１のねじ部６１ａと同様の貫通ねじ部を設けて、上側シャーシ５２および下側シャーシ１０のそれぞれに設けられた貫通穴を通してそれぞれねじにより固定することによって、アクチュエータ５を所定の位置に位置決めすることができる。
【００８４】
前述したように、本発明の実施の形態における磁気ディスク装置１１においては、ＦＰＣポスト３２およびランプポスト６１を上側シャーシ５２および下側シャーシ１０に固定することによって、図７に示すような、下側シャーシ１０に取り付けられたスピンドルモータ１に設けられたモータ用配線体１ａに対する中継配線体７のＦＰＣ基板２１の位置関係が決まり、押圧弾性部材９の紙面に向かう方向への付勢力によって中継配線体７の先端に設けられた複数の接続部２５が押圧されて、モータ用配線体１ａ上の複数の導電部１ｂそれぞれに対応して接触することになり、電気信号の授受を行うことができる。
【００８５】
また、本発明の実施の形態における磁気ディスク装置１１は、図７に示したように、押圧弾性部材９によって押圧された中継配線体７を構成するＦＰＣ基板２１の複数の接続部２５それぞれとモータ用配線体１ａの複数の導電部１ｂそれぞれとが接触する部分の近傍において、モータ用配線体１ａの導電部１ｂに接触するＦＰＣ基板２１の接続部２５の幅Ｗ１は、モータ用配線体１ａの導電部１ｂの幅Ｗ２よりも小さい。さらに、接続部２５の幅Ｗ１は、ＦＰＣ基板２１の接続部２５を押圧する押圧弾性部材９の先端部９ｂの幅Ｗ３よりも少なくとも大きくなるように形成することが、耐衝撃性や安定性の観点より望ましい。すなわち、それぞれの幅Ｗ１、Ｗ２およびＷ３が
Ｗ２＞Ｗ１≧Ｗ３
となるように設定することによって、ＦＰＣ基板２１のそれぞれの接続部２５における導電部２１ｂの幅Ｗ１の中心とモータ用配線体１ａのそれぞれの導電部１ｂの幅Ｗ２の中心と押圧弾性部材９の先端部９ｂの幅Ｗ３の中心がそれぞれ僅かにずれていたとしても、モータ用配線体１ａのそれぞれの導電部１ｂとそれらに対応したＦＰＣ基板２１のそれぞれの接続部２５とのそれぞれの接触は確実なものとなり、モータ用配線体１ａに対するＦＰＣ基板２１および押圧弾性部材９のそれぞれの僅かな取付け位置ずれが、モータ用配線体１ａとＦＰＣ基板２１との接触における電気信号の授受に支障をもたらすようなことはない。
【００８６】
また、本発明の実施の形態における磁気ディスク装置１１のモータ用配線体１ａの導電部１ｂとＦＰＣ基板２１の接続部２５とが当接する部分において、少なくとも導電部１ｂと接続部２５とが当接する部分近傍をそれぞれ金メッキすることによって、接触抵抗を略０Ωとすることができる。これにより、外部からの衝撃や振動等によって導電部１ｂと接続部２５との接触圧が変化したとしても、接触を維持する限りにおいて、その接触抵抗は変化することなく、略０Ωを維持することが可能である。
【００８７】
以上述べたように、本発明の実施の形態における磁気ディスク装置１１によれば、モータ用配線体１ａの導電部１ｂとＦＰＣ基板２１の接続部２５とを、押圧弾性部材９の先端部９ｂによる押圧によって接触させて電気的に接続させているため、例えば、故障によってスピンドルモータ１を交換するような際にも、はんだ付け等による固着を取り外すような手間のかかる作業が不要になり、リワーク性の向上を図ることが可能となる。
【００８８】
なお、本発明の実施の形態においては、磁気ディスク装置１１の中継配線体７に、モータ用配線体１ａからの配線５７、信号配線接続部５ｃからの配線５６およびコネクタ２３が一体に形成された例を示したが、本発明はこの構成に限定されるものではない。例えば、モータ用配線体１ａ、中継配線体７およびコネクタ２３がそれぞれ別々に構成されていてもよい。
【００８９】
次に、前述したような本発明の実施の形態における磁気ディスク装置１１のディスクドライブ部（磁気ディスク装置１１の構成から電気回路主基板５３を除いた部分）の組み立て方法について説明する。
【００９０】
まず、図８に示すような組み立て治具８１を準備する。組み立て治具８１には、アクチュエータ５の回動軸４の貫通ねじ部のねじ穴に嵌合してアクチュエータ５を位置決めするアクチュエータ用位置決めポスト８２、中継配線体７の一方の位置を決めるためにＦＰＣポスト３２のねじ部３２ａのねじ穴に嵌合するＦＰＣ用位置決めポスト８３、および、中継配線体７の他方の位置とランプブロック６の位置とを位置決めするためにランプポスト６１のねじ部６１ａのねじ穴に嵌合するランプ用位置決めポスト８４が基板８５上の所定の位置にそれぞれ設けられている。また、組み立て治具８１には、中継配線体７が載置された場合のコネクタ２３の逃げ穴１０６が設けられている。
【００９１】
まず、第１の工程として、図９Ａに示したように、押圧弾性部材９を狭持した中継配線体７にはんだ付け固着されたＦＰＣポスト３２のねじ部３２ａのねじ穴を組み立て治具８１に設けられたＦＰＣ用位置決めポスト８３に嵌合させて挿入し、ランプ用位置決めポスト８４に弾性押圧部材９のランプポスト用貫通穴９ｄを挿入する。
【００９２】
次に、第２の工程として、図９Ｂに示したように、ＦＰＣポスト３２がはんだ付け固着された中継配線体７の上に、スペーサ５１を載置する。中継配線体７の二つの位置決め穴２１ｄおよび位置決め穴２１ｅにスペーサ５１に設けられた二箇所の位置決め突出部５１ａおよび位置決め突出部５１ｂを嵌合させて挿入することにより、中継配線体７の上にスペーサ５１が位置決めされて載置される。
【００９３】
また、第３の工程として、図１０Ａに示したように、組み立て治具８１に載置された中継配線体７に狭持された押圧弾性部材９のランプポスト用貫通穴９ｄにランプポスト６１の下部円筒部６１ｂを貫通させ、そのランプポスト６１のねじ部６１ａのねじ穴を組み立て治具８１に設けられたランプ用位置決めポスト８４に嵌合させて挿入する。
【００９４】
さらに、第４の工程として、図１０Ｂに示したように、組み立て治具８１上に組み立てられたランプポスト６１の上部円筒部６１ｃにランプブロック６の位置決め穴６ｂを嵌合させるとともに、ランプブロック６の位置決め突出部６ａを押圧弾性部材９の位置決め穴９ｅに嵌合させることにより、ランプポスト６１のフランジ部６１ｄの上部段差面６１ｅの上にランプブロック６が位置決めされて載置される。
【００９５】
次に、第５の工程として、図１１Ａに示したように、組み立て治具８１に設けられたアクチュエータ用位置決めポスト８２に、アクチュエータ５の回動軸４の貫通ねじ部を嵌合させて挿入するとともに、アクチュエータ５の先端に設けられたタブ部５ｂがランプブロック６の待避位置に位置するようにして、アクチュエータ５を位置決めして組み立て治具８１上に載置する。
【００９６】
さらに、第６の工程として、図１１Ｂに示したように、中継配線体７に一体に形成され、図２に示したＹ−Ｙ線にて略９０°折り曲げられたアクチュエータ用配線体５ａの端部に設けられた信号配線接続部５ｃをアクチュエータ５の所定の位置に取り付け、アクチュエータ５に配設された磁気ヘッドおよびボイスコイル８からの信号配線をそれぞれ信号配線接続部５ｃに接続する。
【００９７】
なお、第６の工程において、アクチュエータ用配線体５ａの端部に設けられた信号配線接続部５ｃをアクチュエータ５の所定の位置に配置し、アクチュエータ５に配設された磁気ヘッドおよびボイスコイル８からのそれぞれの信号配線を信号配線接続部５ｃに接続する方法を説明したが、まず始めに、アクチュエータ用配線体５ａの信号配線接続部５ｃにアクチュエータ５に配設された磁気ヘッドおよびボイスコイル８からのそれぞれの信号配線を接続し、それから信号配線接続部５ｃをアクチュエータ５に接続するようにしてもよい。このような方法においては、最初に信号配線接続部５ｃにそれぞれの信号配線を接続することによって、磁気ヘッドからヘッドアンプ間の配線が閉回路となるため、静電気等の影響で磁気ヘッドが破壊される等の不具合の発生を防止することができる。
【００９８】
次に、第７の工程として、中継配線体７の上に載置されたスペーサ５１、中継配線体７にはんだ付け固着されたＦＰＣポスト３２、ランプポスト６１の上部段差面６１ｅに載置されたランプブロック６および所定の位置に配置されたアクチュエータ５の回動軸４の上に、上側シャーシ５２を載せ、上側シャーシ５２に設けられたそれぞれの穴部を通して回動軸４、ランプポスト６１およびＦＰＣポスト３２のそれぞれのねじ部（６１ａ，３２ａ）にねじを挿入してねじ止めし、上側筐体（第１の筐体）を形成することができる。
【００９９】
なお、実用的には、ＦＰＣポスト３２を固定する際に用いる上側シャーシ５２の穴部を長穴等のねじ外径に対して遊びを有する大きさの穴部とし、組み立て時には、まず回動軸４およびランプポスト６１を上側シャーシ５２に固着し、次いでＦＰＣポスト３２を上側シャーシ５２に固定することが望ましい。
【０１００】
次に、第８の工程として、下側シャーシ１０の所定の位置にスピンドルモータ１が取り付けられ、モータ用配線体１ａが所定の位置に位置するように組み立てられた下側筐体（第２の筐体）の上に、前述の第７の工程によって組み立てられた上側筐体を載置することにより、磁気ディスク装置１１のディスクドライブ部が完成する。
【０１０１】
以上述べたように、本発明の実施の形態における磁気ディスク装置１１においては、このような組み立てを行うことによって、押圧弾性部材９の先端部９ｂによって押圧されたＦＰＣ基板２１の接続部２５が、下側シャーシ１０に配設されたモータ用配線体１ａにおける導電部１ｂに当接することになり、ＦＰＣ基板２１の接続部２５における導電部２１ｂとモータ用配線体１ａの導電部１ｂとの間において電気的接続が形成される。
【０１０２】
なお、前述の磁気ディスク装置の組み立て方法の説明においては説明を省略したが、上側筐体および下側筐体には、ボイスコイルモータを構成するための上側ヨーク、下側ヨークおよび永久磁石等のディスクドライブ部に必要な構成部材が組み込まれている。
【０１０３】
また、本発明の実施の形態における磁気ディスク装置１１においては、組み立てとは逆に、組み立てられたものを分解する時には、下側筐体を上側筐体から取り外すことにより、下側シャーシ１０に取り付けられたスピンドルモータ１のモータ用配線体１ａの導電部１ｂを、上側シャーシ５２に取り付けられた中継配線体７のＦＰＣ基板２１の接続部２５から容易に外すことが可能となり、スピンドルモータ１とアクチュエータ５とを容易に分離することができる。
【０１０４】
なお、前述の説明においては、押圧弾性部材９を弾性材料によって形成し、ＦＰＣ基板２１の接続部２５を押圧する先端部９ｂが押圧弾性部材９と一体に形成されているように記述したが、本発明はこの構成に限定されるものではない。例えば、図１２に示すように、ＳＵＳ等の平板材を用いた基材部９１に設けられた複数の分岐部９１ａにゴム材またはクッション材等の弾力性を有する弾性部９２が設けられた押圧弾性部材９３を用いることができる。なお、押圧弾性部材９３のような構成とした時にも、それぞれの分岐部９１ａは上述の押圧弾性部材９における先端部９ｂと同様に根元部分の断面積より先端部分の断面積の方が小さくなるように形成することにより、耐衝撃性や組み立ての際の位置ずれに対して安定性の高い構成を実現できる。また、分岐部９１ａとしては、ＳＵＳ等のいわゆる板ばね部材を用いることもできるし、ゴム等の弾性部材を用いることができる。
【０１０５】
以上述べたように、本発明の実施の形態における磁気ディスク装置１１によれば、一つのコネクタ２３を介して電気回路主基板５３と磁気ディスク装置１１のディスクドライブ部との電気信号を授受するための電気配線を接続することができるので、低コストにディスク装置を実現することができる。また、本発明の実施の形態における磁気ディスク装置１１によれば、押圧弾性部材９の先端部９ｂによる押圧力によって、中継配線体７の接続部２５をスピンドルモータ１のモータ用配線体１ａの導電部１ｂに押圧接触させて、電気回路主基板５３からの電気信号を授受することができるため、ディスクドライブ部の構成部品に何らかの故障が発生した時、故障部品の交換時においても、容易に分解および組み立てができる。
【０１０６】
なお、本発明の実施の形態の説明においては、ディスク装置の例として、磁気ディスク装置の構成を用いて説明したが、本発明のディスク装置は、何らこれに限定されるものではない。例えば、ＤＶＤ装置、光磁気ディスク装置や光ディスク装置等の非接触型のディスク装置にも適用可能である。
【０１０７】
さらに、本発明のディスク装置を組み込んで、携帯電話装置、ポータブルオーディオプレーヤ装置、ディスク再生装置またはディスク記録装置等の電子機器を構成すれば、より接続し易い構成を実現することができる。図１３は、本発明の実施の形態におけるディスク装置を組み込んだ電子機器の構成を示すブロック図である。
【０１０８】
図１３に示したように、本発明の実施の形態における電子機器７４は、前述した磁気ディスク装置１１の構成から制御部を除いたＨＤＡ（Ｈｅａｄ  Ｄｉｓｋ  ＡｓｓｅｍｂｌｙまたはＨａｒｄ  Ｄｉｓｋ  Ａｓｓｅｍｂｌｙ）部７１が、ディスクユニット７２を構成し、電子機器７４にＨＤＡ部７１を制御するための制御部７３および電子機器回路部７５が設けられる。ディスクユニット７２は電子機器７４に取り付けられる。このような構成においては、ディスクユニット７２のＨＤＡ部７１と電子機器７４の制御部７３とが一つの端子部によって接続されるので、接続を容易に行うことができる。さらに、本発明のディスク装置によれば、従来のディスク装置において複数のコネクタが設けられていた部分（例えば図１における磁気記録媒体３の下部両側の部分）に電子機器７４の制御部７３や電子機器回路部７５を配設することが可能であり、構成の小型化を実現することができる。
【０１０９】
なお、図１３の破線で示したように、ディスクユニット７６がＨＤＡ部７１と制御部７３とを有し、電子機器７７が電子機器回路部７５を有する構成とすることも可能である。
【産業上の利用可能性】
【０１１０】
本発明によれば、一つのコネクタによって外部との接続を行うことができるため、装置全体の小型化が可能であるとともに、低コストのディスク装置を実現することができるという格別の効果を奏することができるので、浮上型の信号変換素子を備えたディスク装置、特に、ディスク装置の筐体外部に設けられた制御部によって制御されるディスク装置およびそれを用いた電子機器等として有用である。
【図面の簡単な説明】
【０１１１】
【図１】本発明の実施の形態における磁気ディスク装置の主要な構成を示す平面図
【図２】本発明の実施の形態における磁気ディスク装置の中継配線体の構成を示す展開平面図
【図３Ａ】本発明の実施の形態における磁気ディスク装置の中継配線体を組み立てた際の側面図
【図３Ｂ】本発明の実施の形態における磁気ディスク装置の図３ＡにおけるＲ部の部分を拡大した側面図
【図３Ｃ】本発明の実施の形態における磁気ディスク装置のＦＰＣポストの断面図
【図４Ａ】本発明の実施の形態における磁気ディスク装置の押圧弾性部材の構成を示す平面図
【図４Ｂ】本発明の実施の形態における磁気ディスク装置の押圧弾性部材の側面図
【図５Ａ】本発明の実施の形態における磁気ディスク装置の図１におけるＡ−Ａ線での断面を示した部分断面図
【図５Ｂ】本発明の実施の形態における磁気ディスク装置の図１におけるＢ−Ｏ１−Ｏ２−Ｏ３−Ｂ線での断面を示した部分断面図
【図６】本発明の実施の形態における磁気ディスク装置の図１におけるＣ−Ｏ４−Ｃ線での断面を示した部分断面図
【図７】本発明の実施の形態における磁気ディスク装置の中継配線体とモータ用配線体との接触部分近傍の部分平面図
【図８】本発明の実施の形態における磁気ディスク装置を組み立てる際の組み立て治具の構成を示す斜視図
【図９Ａ】本発明の実施の形態における磁気ディスク装置を組み立てる工程を説明するための平面図
【図９Ｂ】本発明の実施の形態における磁気ディスク装置を組み立てる工程を説明するための平面図
【図１０Ａ】本発明の実施の形態における磁気ディスク装置を組み立てる工程を説明するための平面図
【図１０Ｂ】本発明の実施の形態における磁気ディスク装置を組み立てる工程を説明するための平面図
【図１１Ａ】本発明の実施の形態における磁気ディスク装置を組み立てる工程を説明するための平面図
【図１１Ｂ】本発明の実施の形態における磁気ディスク装置を組み立てる工程を説明するための平面図
【図１２】本発明の実施の形態における磁気ディスク装置の押圧弾性部材の他の例を示す部分斜視図
【図１３】本発明の実施の形態における磁気ディスク装置を搭載した電子機器の構成を示すブロック図
【図１４】従来の浮上型の信号変換素子を有する磁気ディスク装置において上側シャーシを取り外した状態を示す平面図
【図１５Ａ】従来の磁気ディスク装置の図１４におけるＰ−Ｐ線での断面を示した部分断面図
【図１５Ｂ】従来の磁気ディスク装置の図１４におけるＱ−Ｑ線での断面を示した部分断面図
【符号の説明】
【０１１２】
１    スピンドルモータ
１ａ    モータ用配線体（第２の配線体）
１ｂ，２１ｂ    導電部
２    回転中心軸
３    磁気記録媒体
４    回動軸
５    アクチュエータ（ヘッド支持装置）
５ａ    アクチュエータ用配線体
５ｂ    タブ部
５ｃ    信号配線接続部
６    ランプブロック
６ａ，５１ａ，５１ｂ，５１ｃ    突出部
６ｂ，９ｅ，２１ｄ，２１ｅ    位置決め穴
７    中継配線体（第１の配線体）
７ａ    プリアンプ回路部
８    ボイスコイル
９，９３    押圧弾性部材
９ａ    平面部
９ｂ    先端部
９ｃ，９ｄ，９ｆ，９ｇ，１０ａ，２１ｃ，３１ａ，３１ｂ，５２ａ    貫通穴
１０    下側シャーシ
１１    磁気ディスク装置
２１    フレキシブル配線基板（ＦＰＣ基板）
２１ａ，９１    基材部
２２    電気回路部品
２３，５４    コネクタ
２４    ガスケット
２５    接続部
３１    補強板
３２    ＦＰＣポスト
３２ａ，６１ａ    ねじ部
３２ｂ，３２ｃ，６１ｂ，６１ｃ    円筒部
３２ｄ，６１ｅ    段差面
３２ｅ    角部
４１ａ，４１ｂ    幅
５１    スペーサ
５２    上側シャーシ
５３    電気回路主基板
５５    グラウンドライン部
５６，５７    配線
６１    ランプポスト
６１ｄ    フランジ部
６２，６３    ねじ
７１    ＨＤＡ部
７２，７６    ディスクユニット
７３    制御部
７４，７７    電子機器
７５    電子機器回路部
８１    組み立て治具
８２，８３，８４    位置決めポスト
８５    基板
９１ａ    分岐部
９２    弾性部
１０６    逃げ穴
【手続補正３】
【補正対象書類名】図面
【補正対象項目名】全図
【補正方法】変更
【補正の内容】
【図１】
2006043587.tif 000025
【図２】
2006043587.tif 000026
【図３Ａ】
2006043587.tif 000027
【図３Ｂ】
2006043587.tif 000028
【図３Ｃ】
2006043587.tif 000029
【図４Ａ】
2006043587.tif 000030
【図４Ｂ】
2006043587.tif 000031
【図５Ａ】
2006043587.tif 000032
【図５Ｂ】
2006043587.tif 000033
【図６】
2006043587.tif 000034
【図７】
2006043587.tif 000035
【図８】
2006043587.tif 000036
【図９Ａ】
2006043587.tif 000037
【図９Ｂ】
2006043587.tif 000038
【図１０Ａ】
2006043587.tif 000039
【図１０Ｂ】
2006043587.tif 000040
【図１１Ａ】
2006043587.tif 000041
【図１１Ｂ】
2006043587.tif 000042
【図１２】
2006043587.tif 000043
【図１３】
2006043587.tif 000044
【図１４】
2006043587.tif 000045
【図１５Ａ】
2006043587.tif 000046
【図１５Ｂ】
2006043587.tif 000047
【国際調査報告】
2006043587.tif 000048
2006043587.tif 000049
2006043587.tif 000050